(57)【特許請求の範囲】
【請求項１】
無線通信方法であって、
スケジューリングされた送信期間から成る第１の期間（ＴＸＯＰ期間）内において定義された複数の第１及び第２の時間セグメント（４２４Ａ及び４２４Ｂ）の期間に、第１の送信ノードから第１の受信ノードにデータを送信することと、
前記第１及び第２の時間セグメントの間に配置した一時的な少なくとも１つの時間間隔中（４２６）に制御情報の有無をモニタリングすることと、を備え、
前記制御情報に基づき、前記第１の時間セグメント（４２４Ａ）に続く第２の時間セグメント（４２４Ｂ）の期間に、前記データの前記送信のため、少なくとも１つの送信パラメータを調整することをさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義することと、
前記送信制限状態に基づき、前記第２の時間セグメントの期間におけるデータの前記送信が第２の受信ノードにおける受信と干渉するかどうかを決定することと、
前記干渉決定に基づいて前記データを送信する要求を出すこと、とをさらに備える、無線通信方法。
【請求項２】
前記制御情報に基づき、どれだけの数の時間セグメントが前記データの前記送信に関して用いられるかを調整することをさらに備える請求項１に記載の方法。
【請求項３】
前記制御情報に基づいて前記第１の期間の継続時間を調整することをさらに備える請求項１に記載の方法。
【請求項４】
前記制御情報は、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から構成される少なくとも１つのグループから成る請求項１に記載の方法。
【請求項５】
前記少なくとも１つの時間間隔中に少なくとも１つの確認メッセージを送信することをさらに備える請求項１に記載の方法。
【請求項６】
前記少なくとも１つの確認メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、送信電力デルタと、パケットフォーマットと、パイロット信号と、から構成される少なくとも１つのグループから成る請求項５に記載の方法。
【請求項７】
前記第１の期間は、前記第１の送信ノードによる前記データを送信する要求に応じて前記第１の受信ノードから許可メッセージを介して受信されたパラメータによって定義される請求項１に記載の方法。
【請求項８】
前記第１の期間に後続する第２の期間中に第２の送信ノード又は第２の受信ノードからの制御情報の有無をモニタリングすることと、
前記第２の送信ノード又は前記第２の受信ノードから受信された制御情報に基づき、送信制限状態と、レート予測状態と、から構成される少なくとも１つのグループを定義すること、とをさらに備える請求項１に記載の方法。
【請求項９】
前記送信制限状態は、許可メッセージ又は肯定応答メッセージと関連づけられた送信開始時間と、送信終了時間と、送信期間と、受信マージンと、受信信号強度表示と、から構成される少なくとも１つのグループから成る請求項８に記載の方法。
【請求項１０】
前記レート予測状態は、確認メッセージと関連づけられた送信開始時間と、送信終了時間と、送信期間と、送信電力デルタと、受信信号強度表示と、から構成される少なくとも１つのグループから成る請求項８に記載の方法。
【請求項１１】
前記第２の期間は、前記時間セグメントのうちのいずれの１つよりも長い継続時間を有する請求項８に記載の方法。
【請求項１２】
前記時間セグメント、各時間間隔、及び前記第２の期間は、隣接する請求項８に記載の方法。
【請求項１３】
前記第２の送信ノード又は前記第２の受信ノードからの前記制御情報は、許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から構成される少なくとも１つのグループから成る請求項８に記載の方法。
【請求項１４】
前記第２の送信ノード又は前記第２の受信ノードから受信された前記制御情報は、送信のスケジューリングと関係して生成された確認メッセージを含み、
前記確認メッセージは、送信開始時間と、送信終了時間と、送信期間と、送信電力デルタと、パケットフォーマットと、パイロット信号と、から構成される少なくとも１つのグループから成る請求項８に記載の方法。
【請求項１５】
前記制御情報は、制御チャネルを介して受信され、
前記データは、データチャネルを介して送信され、
前記制御及びデータチャネルは、共通の周波数帯域内において周波数分割多重化され、
前記制御チャネルは、前記共通の周波数帯域内に散在される複数の副周波数帯域と関連づけられる請求項１に記載の方法。
【請求項１６】
希望される干渉低減レベルと、クリアされるべき資源と、第２の無線ノードにおける受信が希望されるサービス品質レベルを満たしていない度合いの表示と、から構成される少なくとも１つのグループから成る資源利用メッセージを受信することと、
前記資源利用メッセージに基づいて前記第１の期間の長さを定義すること、とをさらに備える請求項１に記載の方法。
【請求項１７】
希望される干渉低減レベルと、クリアされるべき資源と、第２の無線ノードにおける受信が希望されるサービス品質レベルを満たしていない度合いの表示と、から構成される少なくとも１つのグループから成る資源利用メッセージを受信することと、
前記資源利用メッセージに基づいて前記第１の期間中に前記データを送信する要求を出すべきかどうかを決定すること、とをさらに備え、前記資源利用メッセージは、前記資源利用メッセージを送信する第２の受信ノードによって又は前記第１の送信ノードによって定義された期間と関連づけられる請求項１に記載の方法。
【請求項１８】
前記データを送信する要求を出すことであって、前記要求は、前記第１の期間及び前記データの前記送信に関して用いられる資源を定義すること、をさらに備える請求項１に記載の方法。
【請求項１９】
無線通信のための装置であって、
スケジューリングされた送信期間から成る第１の期間（ＴＸＯＰ期間）内において定義された複数の第１及び第２の時間セグメント（４２４Ａ及び４２４Ｂ）の期間に、第１の送信ノードから第１の受信ノードにデータを送信するように構成された送信機と、
前記第１及び第２の時間セグメントの間に配置した一時的な少なくとも１つの時間間隔中（４２６）に制御情報の有無をモニタリングするように構成された受信機と、を備え、
前記制御情報に基づき、前記第１の時間セグメント（４２４Ａ）に続く第２の時間セグメント（４２４Ｂ）の期間に、前記データの前記送信のため、少なくとも１つの送信パラメータを調整するように構成された送信パラメータ定義器をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義するように構成された状態コントローラと、
前記送信制限状態に基づき、前記第２の時間セグメントの期間におけるデータの前記送信が第２の受信ノードにおける受信と干渉するかどうかを決定するように構成された干渉決定器と、
前記干渉決定に基づいて前記データを送信する要求を出すように構成された制御メッセージ生成器と、をさらに備える、無線通信のための装置。
【請求項２０】
前記制御情報に基づき、どれだけの数の時間セグメントが前記データの前記送信に関して用いられるかを調整するように構成された送信パラメータ定義器をさらに備える請求項１９に記載の装置。
【請求項２１】
前記制御情報に基づいて前記第１の期間の継続時間を調整するように構成された送信パラメータ定義器をさらに備える請求項１９に記載の装置。
【請求項２２】
前記制御情報は、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から構成される少なくとも１つのグループから成る請求項１９に記載の装置。
【請求項２３】
前記送信機は、前記少なくとも１つの時間間隔中に少なくとも１つの確認メッセージを送信するようにさらに構成される請求項１９に記載の装置。
【請求項２４】
前記少なくとも１つの確認メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、送信電力デルタと、パケットフォーマットと、パイロット信号と、から構成される少なくとも１つのグループから成る請求項２３に記載の装置。
【請求項２５】
前記第１の期間は、前記第１の送信ノードによる前記データを送信する要求に応じて前記第１の受信ノードから許可メッセージを介して受信されたパラメータによって定義される請求項１９に記載の装置。
【請求項２６】
前記受信機は、前記第１の期間に後続する第２の期間中に第２の送信ノード又は第２の受信ノードからの制御情報の有無をモニタリングするようにさらに構成され、
前記装置は、前記第２の送信ノード又は前記第２の受信ノードから受信された制御情報に基づき、送信制限状態と、レート予測状態と、から構成される少なくとも１つのグループを定義するように構成された状態コントローラをさらに備える請求項１９に記載の装置。
【請求項２７】
前記送信制限状態は、許可メッセージ又は肯定応答メッセージと関連づけられた送信開始時間と、送信終了時間と、送信期間と、受信マージンと、受信信号強度表示と、構成される少なくとも１つのグループから成る請求項２６に記載の装置。
【請求項２８】
前記レート予測状態は、確認メッセージと関連づけられた送信開始時間と、送信終了時間と、送信期間と、送信電力デルタと、受信信号強度表示と、から構成される少なくとも１つのグループから成る請求項２６に記載の装置。
【請求項２９】
前記第２の期間は、前記時間セグメントのうちのいずれの１つよりも長い継続時間を有する請求項２６に記載の装置。
【請求項３０】
前記時間セグメント、各時間間隔、及び前記第２の期間は、隣接する請求項２６に記載の装置。
【請求項３１】
前記第２の送信ノード又は前記第２の受信ノードから受信された前記制御情報は、許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から構成される少なくとも１つのグループから成る請求項２６に記載の装置。
【請求項３２】
前記第２の送信ノード又は前記第２の受信ノードからの前記制御情報は、送信のスケジューリングと関係して生成された確認メッセージを含み、
前記確認メッセージは、送信開始時間と、送信終了時間と、送信期間と、送信電力デルタと、パケットフォーマットと、パイロット信号と、から構成される少なくとも１つのグループから成る請求項２６に記載の装置。
【請求項３３】
前記制御情報は、制御チャネルを介して受信され、
前記データは、データチャネルを介して送信され、
前記制御及びデータチャネルは、共通の周波数帯域内において周波数分割多重化され、
前記制御チャネルは、前記共通の周波数帯域内に散在される複数の副周波数帯域と関連づけられる請求項１９に記載の装置。
【請求項３４】
前記受信機は、希望される干渉低減レベルと、クリアされるべき資源と、第２の無線ノードにおける受信が希望されるサービス品質レベルを満たしていない度合いの表示と、から構成される少なくとも１つのグループから成る資源利用メッセージを受信するようにさらに構成され、
前記装置は、前記資源利用メッセージに基づいて前記第１の期間の長さを定義するように構成された送信パラメータ定義器をさらに備える請求項１９に記載の装置。
【請求項３５】
前記受信機は、希望される干渉低減レベルと、クリアされるべき資源と、第２の無線ノードにおける受信が希望されるサービス品質レベルを満たしていない度合いの表示と、から構成される少なくとも１つのグループから成る資源利用メッセージを受信するようにさらに構成され、
前記装置は、前記資源利用メッセージに基づいて前記第１の期間中に前記データを送信する要求を出すべきかどうかを決定するように構成された資源利用メッセージプロセッサをさらに備え、
前記資源利用メッセージは、前記資源利用メッセージを送信する第２の受信ノードによって又は前記第１の送信ノードによって定義された期間と関連づけられる請求項１９に記載の装置。
【請求項３６】
前記データを送信する要求を出すように構成された制御メッセージ生成器であって、前記要求は、前記第１の期間及び前記データの前記送信に関して用いられる資源を定義する制御メッセージ生成器、をさらに備える請求項１９に記載の装置。
【請求項３７】
無線通信のための装置であって、
スケジューリングされた第１の期間（ＴＸＯＰ期間）内において定義された複数の第１及び第２の時間セグメント（４２４Ａ及び４２４Ｂ）の期間に、データを送信するための手段と、
前記第１及び第２の時間セグメントの間に配置した一時的な少なくとも１つの時間間隔中（４２６）に制御情報の有無をモニタリングするための手段と、を備え、
前記制御情報に基づき、前記第１の時間セグメント（４２４Ａ）に続く第２の時間セグメント（４２４Ｂ）の期間に、前記データの前記送信のため、少なくとも１つの送信パラメータを調整するための手段をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義するための手段と、
前記送信制限状態に基づき、前記第２の時間セグメントの期間におけるデータの前記送信が受信ノードにおける受信と干渉するかどうかを決定するための手段と、
前記干渉決定に基づいて前記データを送信する要求を出すための手段と、をさらに備える、無線通信のための装置。
【請求項３８】
前記制御情報に基づき、どれだけの数の時間セグメントが前記データの前記送信に関して用いられるかを調整するための手段をさらに備える請求項３７に記載の装置。
【請求項３９】
前記制御情報に基づいて前記第１の期間の継続時間を調整するための手段をさらに備える請求項３７に記載の装置。
【請求項４０】
前記制御情報は、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から構成される少なくとも１つのグループから成る請求項３７に記載の装置。
【請求項４１】
送信するための前記手段は、前記少なくとも１つの時間間隔中に少なくとも１つの確認メッセージをさらに送信する請求項３７に記載の装置。
【請求項４２】
前記少なくとも１つの確認メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、送信電力デルタと、パケットフォーマットと、パイロット信号と、から構成される少なくとも１つのグループから成る請求項４１に記載の装置。
【請求項４３】
前記第１の期間は、前記第１の送信ノードによる前記データを送信する要求に応じて前記第１の受信ノードから許可メッセージを介して受信されたパラメータによって定義される請求項３７に記載の装置。
【請求項４４】
モニタリングするための前記手段は、前記第１の期間に後続する第２の期間中に第２の送信ノード又は第２の受信ノードからの制御情報の有無をさらにモニタリングし、
前記装置は、前記第２の送信ノード又は前記第２の受信ノードから受信された制御情報に基づき、送信制限状態と、レート予測状態と、から構成される少なくとも１つのグループを定義するための手段をさらに備える請求項３７に記載の装置。
【請求項４５】
前記送信制限状態は、許可メッセージ又は肯定応答メッセージと関連づけられた送信開始時間と、送信終了時間と、送信期間と、受信マージンと、受信信号強度表示と、から構成される少なくとも１つのグループから成る請求項４４に記載の装置。
【請求項４６】
前記レート予測状態は、確認メッセージと関連づけられた送信開始時間と、送信終了時間と、送信期間と、送信電力デルタと、受信信号強度表示と、から構成される少なくとも１つのグループから成る請求項４４に記載の装置。
【請求項４７】
前記第２の期間は、前記時間セグメントのうちのいずれの１つよりも長い継続時間を有する請求項４４に記載の装置。
【請求項４８】
前記時間セグメント、各時間間隔、及び前記第２の期間は、隣接する請求項４４に記載の装置。
【請求項４９】
前記第２の送信ノード又は前記第２の受信ノードから受信された前記制御情報は、許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から構成される少なくとも１つのグループから成る請求項４４に記載の装置。
【請求項５０】
前記第２の送信ノード又は前記第２の受信ノードからの前記制御情報は、送信のスケジューリングと関係して生成された確認メッセージを含み、
前記確認メッセージは、送信開始時間と、送信終了時間と、送信期間と、送信電力デルタと、パケットフォーマットと、パケット信号と、から構成される少なくとも１つのグループから成る請求項４４に記載の装置。
【請求項５１】
前記制御情報は、制御チャネルを介して受信され、
前記データは、データチャネルを介して送信され、
前記制御及びデータチャネルは、共通の周波数帯域内において周波数分割多重化され、
前記制御チャネルは、前記共通の周波数帯域内に散在される複数の副周波数帯域と関連づけられる請求項３７に記載の装置。
【請求項５２】
モニタリングするための前記手段は、希望される干渉低減レベルと、クリアされるべき資源と、受信ノードにおける受信が希望されるサービス品質レベルを満たしていない度合いの表示と、から構成される少なくとも１つのグループから成る資源利用メッセージをさらに受信し、
前記装置は、前記資源利用メッセージに基づいて前記第１の期間の長さを定義するための手段をさらに備える請求項３７に記載の装置。
【請求項５３】
モニタリングするための前記手段は、希望される干渉低減レベルと、クリアされるべき資源と、受信ノードにおける受信が希望されるサービス品質レベルを満たしていない度合いの表示と、から構成される少なくとも１つのグループから成る資源利用メッセージをさらに受信し、
前記装置は、前記資源利用メッセージに基づいて前記第１の期間中に前記データを送信する要求を出すべきかどうかを決定するための手段をさらに備え、
前記資源利用メッセージは、前記資源利用メッセージを送信する第２の受信ノードによって又は前記第１の送信ノードによって定義された期間と関連づけられる請求項３７に記載の装置。
【請求項５４】
前記データを送信する要求を出すための手段であって、前記要求は、前記第１の期間及び前記データの前記送信に関して用いられる資源を定義する手段、をさらに備える請求項３７に記載の装置。
【請求項５５】
無線通信のためのコンピュータプログラムであって、
スケジューリングされた送信期間から成る第１の期間（ＴＸＯＰ期間）内において定義された複数の第１及び第２の時間セグメント（４２４Ａ及び４２４Ｂ）の期間に、第１の送信ノードから第１の受信ノードにデータを送信し、
前記第１及び第２の時間セグメントの間に配置した一時的な少なくとも１つの時間間隔中（４２６）に制御情報の有無をモニタリングするために少なくとも１つのコンピュータによって実行可能な符号を備え、
前記符号はさらに、前記制御情報に基づき、前記第１の時間セグメント（４２４Ａ）に続く第２の時間セグメント（４２４Ｂ）の期間に、前記データの前記送信のため、少なくとも１つの送信パラメータを調整し、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義し、
前記送信制限状態に基づき、前記第２の時間セグメントの期間におけるデータの前記送信が第２の受信ノードにおける受信と干渉するかどうかを決定し、
前記干渉決定に基づいて前記データを送信する要求を出すために少なくとも１つのコンピュータによって実行可能な符号をさらに備える、無線通信のためのコンピュータプログラム。
【請求項５６】
無線通信のためのアクセスポイントであって、
アンテナと、
スケジューリングされた送信期間から成る第１の期間（ＴＸＯＰ期間）内において定義された複数の第１及び第２の時間セグメント（４２４Ａ及び４２４Ｂ）の期間に、前記アンテナを介して、第１の送信ノードから第１の受信ノードにデータを送信するように構成された送信機と、
前記第１及び第２の時間セグメントの間に配置した一時的な少なくとも１つの時間間隔中（４２６）に前記アンテナを介して制御情報の有無をモニタリングするように構成された受信機と、を備え、
前記制御情報に基づき、前記第１の時間セグメント（４２４Ａ）に続く第２のセグメント（４２４Ｂ）の期間に、前記データの前記送信のため、少なくとも１つの送信パラメータを調整するように構成された送信パラメータ定義器をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義するように構成された状態コントローラと、
前記送信制限状態に基づき、前記第２の時間セグメントの期間におけるデータの前記送信が第２の受信ノードにおける受信と干渉するかどうかを決定するように構成された干渉決定器と、
前記干渉決定に基づいて前記データを送信する要求を出すように構成された制御メッセージ生成器と、をさらに備える、無線通信のためのアクセスポイント。
【請求項５７】
無線通信のためのアクセス端末であって、
スケジューリングされた送信期間から成る第１の期間（ＴＸＯＰ期間）内において定義された複数の第１及び第２の時間セグメント（４２４Ａ及び４２４Ｂ）の期間に、第１の送信ノードから第１の受信ノードにデータを送信するように構成された送信機と、
前記第１及び第２の時間セグメントの間に配置した一時的な少なくとも１つの時間間隔中（４２６）に制御情報の有無をモニタリングするように構成された受信機と、
前記受信機によって受信されたデータに基づいて表示を出力するように構成されたユーザーインタフェースと、を備え、
前記制御情報に基づき、前記第１の時間セグメント（４２４Ａ）に続く第２の時間セグメント（４２４Ｂ）の期間に、前記データの前記送信のため、少なくとも１つの送信パラメータを調整するように構成された送信パラメータ定義器をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義するように構成された状態コントローラと、
前記送信制限状態に基づき、前記第２の時間セグメントの期間におけるデータの前記送信が第２の受信ノードにおける受信と干渉するかどうかを決定するように構成された干渉決定器と、
前記干渉決定に基づいて前記データを送信する要求を出すように構成された制御メッセージ生成器と、をさらに備える、無線通信のためのアクセス端末。
【請求項５８】
無線通信方法であって、
スケジューリングされた送信期間から成る第１の期間（ＴＸＯＰ期間）内において定義された複数の時間セグメントの期間に、第１の送信ノードから第１の受信ノードによってデータを受信することと、
前記時間セグメントの間に配置した一時的な少なくとも１つの時間間隔中（４２６）に制御情報を送信することと、を備え、
前記第１の送信ノードが前記時間セグメントのうちの少なくとも１つの時間セグメントの期間におけるデータの送信のため、少なくとも１つの送信パラメータを調整するのを可能にするように前記制御情報を定義することをさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいてレート予測状態を定義することと、
前記レート予測状態に基づき、前記時間セグメントの期間のうちの前記少なくとも１つの時間セグメントの期間における持続可能なデータの受信を達成させるための少なくとも１つのパラメータを決定することと、
前記少なくとも１つのパラメータに基づき、要求された送信をスケジューリングすること、とをさらに備え、
前記要求された送信は、前記時間セグメントの期間に受信される前記データを提供する、無線通信方法。
【請求項５９】
第２の送信ノードに関するスケジューリングされた送信に関する情報を、前記第２の送信ノード又は第２の受信ノードから受信することと、
前記第２の送信ノード又は前記第２の受信ノードから受信された前記情報に基づいてレート予測状態を定義すること、とをさらに備え、前記制御情報は、前記レート予測状態に基づいてさらに定義される請求項５８に記載の方法。
【請求項６０】
前記レート予測状態は、確認メッセージと関連づけられた送信開始時間と、送信終了時間と、送信期間と、送信電力デルタと、受信信号強度表示と、から構成される少なくとも１つのグループから成る請求項５９に記載の方法。
【請求項６１】
前記第２の送信ノード又は前記第２の受信ノードから受信された前記情報は、確認メッセージを含む請求項５９に記載の方法。
【請求項６２】
前記確認メッセージは、送信開始時間と、送信終了時間と、送信期間と、送信電力デルタと、パケットフォーマットと、パイロット信号と、から構成される少なくとも１つのグループから成る請求項６１に記載の方法。
【請求項６３】
どれだけの数の時間セグメントが前記データの前記受信に関して用いられるかを調整するように前記制御情報を定義することをさらに備える請求項５８に記載の方法。
【請求項６４】
前記第１の期間の継続時間を調整するように前記制御情報を定義することをさらに備える請求項５８に記載の方法。
【請求項６５】
前記制御情報は、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から構成される少なくとも１つのグループから成る請求項５８に記載の方法。
【請求項６６】
前記少なくとも１つの時間間隔中において、前記第１の送信ノードによって生成された少なくとも１つの確認メッセージを受信することをさらに備える請求項５８に記載の方法。
【請求項６７】
前記少なくとも１つの確認メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、送信電力デルタと、パケットフォーマットと、パイロット信号と、から構成される少なくとも１つのグループから成る請求項６６に記載の方法。
【請求項６８】
前記第１の期間を定義することと、
前記第１の送信ノードからの前記データを送信する要求に応じて前記第１の期間を示すパラメータを備える許可メッセージを送信すること、とをさらに備える請求項５８に記載の方法。
【請求項６９】
前記時間セグメント及び各時間間隔は、隣接する請求項５８に記載の方法。
【請求項７０】
前記少なくとも１つのパラメータは、送信期間と、送信レートと、送信すべき冗長性ビット数と、コードレートと、から構成される少なくとも１つのグループから成る請求項５８に記載の方法。
【請求項７１】
前記制御情報は、制御チャネルを介して送信され、
前記データは、データチャネルを介して受信され、
前記制御及びデータチャネルは、共通の周波数帯域内において周波数分割多重化され、
前記制御チャネルは、前記共通の周波数帯域内に散在される複数の副周波数帯域と関連づけられる請求項５８に記載の方法。
【請求項７２】
前記データを送信する要求を受信することであって、前記要求は、前記第１の期間及び前記データの前記受信に関して用いられる資源を定義すること、をさらに備える請求項５８に記載の方法。
【請求項７３】
無線通信のための装置であって、
スケジューリングされた送信期間から成る第１の期間（ＴＸＯＰ期間）内において定義された複数の時間セグメントの期間に、第１の無線ノードにおいて第１の送信ノードからデータを受信するように構成された受信機と、
前記時間セグメントの間に配置した一時的な少なくとも１つの時間間隔中（４２６）に、制御情報を送信するように構成された送信機と、を備え、
前記第１の送信ノードが前記時間セグメントのうちの少なくとも１つの時間セグメントの期間におけるデータの送信のため、少なくとも１つの送信パラメータを調整するのを可能にするように前記制御情報を定義するように構成された送信パラメータ定義器をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいてレート予測状態を定義するように構成された状態コントローラと、
前記レート予測状態に基づき、前記時間セグメントの期間のうちの前記少なくとも１つの時間セグメントの期間における持続可能なデータの受信を達成させるための少なくとも１つのパラメータを決定するように構成された持続可能受信決定器と、
前記少なくとも１つのパラメータに基づき、要求された送信をスケジューリングするように構成された受信コントローラと、をさらに備え、
前記要求された送信は、前記時間セグメントの期間に受信された前記データを提供する、無線通信のための装置。
【請求項７４】
前記受信機は、第２の送信ノードに関するスケジューリングされた送信に関する情報を、前記第２の送信ノード又は第２の受信ノードから受信するようにさらに構成され、
前記装置は、前記第２の送信ノード又は前記第２の受信ノードから受信された前記情報に基づいてレート予測状態を定義するように構成された状態コントローラをさらに備え、
前記制御情報は、前記レート予測状態に基づいてさらに定義される請求項７３に記載の装置。
【請求項７５】
前記レート予測状態は、確認メッセージと関連づけられた送信開始時間と、送信終了時間と、送信期間と、送信電力デルタと、受信信号強度表示と、から構成される少なくとも１つのグループから成る請求項７４に記載の装置。
【請求項７６】
前記第２の送信ノード又は前記第２の受信ノードから受信された前記情報は、確認メッセージを含む請求項７４に記載の装置。
【請求項７７】
前記確認メッセージは、送信開始時間と、送信終了時間と、送信期間と、送信電力デルタと、パケットフォーマットと、パイロット信号と、から構成される少なくとも１つのグループから成る請求項７６に記載の装置。
【請求項７８】
どれだけの数の時間セグメントが前記データの前記受信に関して用いられるかを調整するように前記制御情報を定義するように構成された送信パラメータ定義器をさらに備える請求項７３に記載の装置。
【請求項７９】
前記第１の期間の継続時間を調整するように前記制御情報を定義するように構成された送信パラメータ定義器をさらに備える請求項７３に記載の装置。
【請求項８０】
前記制御情報は、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から構成される少なくとも１つのグループから成る請求項７３に記載の装置。
【請求項８１】
前記受信機は、前記第１の送信ノードによって生成された少なくとも１つの確認メッセージを前記少なくとも１つの時間間隔中に受信するようにさらに構成される請求項７３に記載の装置。
【請求項８２】
前記少なくとも１つの確認メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、送信電力デルタと、パケットフォーマットと、パイロット信号と、から構成される少なくとも１つのグループから成る請求項８１に記載の装置。
【請求項８３】
前記装置は、前記第１の期間を定義するように構成された送信パラメータ定義器をさらに備え、
前記送信機は、前記第１の送信ノードからの前記データを送信する要求に応じて前記第１の期間を示すパラメータを備える許可メッセージを送信するようにさらに構成される請求項７３に記載の装置。
【請求項８４】
前記時間セグメント及び各時間間隔は、隣接する請求項７３に記載の装置。
【請求項８５】
前記少なくとも１つのパラメータは、送信期間と、送信レートと、送信すべき冗長性ビット数と、コードレートと、から構成される少なくとも１つのグループから成る請求項７３に記載の装置。
【請求項８６】
前記制御情報は、制御チャネルを介して送信され、
前記データは、データチャネルを介して受信され、
前記制御及びデータチャネルは、共通の周波数帯域内において周波数分割多重化され、
前記制御チャネルは、前記共通の周波数帯域内に散在される複数の副周波数帯域と関連づけられる請求項７３に記載の装置。
【請求項８７】
前記受信機は、前記データを送信する要求を受信するようにさらに適合化され、前記要求は、前記第１の期間及び前記データの前記受信に関して用いられる資源を定義する請求項７３に記載の装置。
【請求項８８】
無線通信のための装置であって、
スケジューリングされた送信期間から成る第１の期間（ＴＸＯＰ期間）内において定義された複数の時間セグメントの期間に、第１の受信ノードにおいて第１の送信ノードからデータを受信するための手段と、
前記時間セグメントの間に配置した一時的な少なくとも１つの時間間隔中（４２６）に制御情報を送信するための手段と、を備え、
前記第１の送信ノードが前記時間セグメントのうちの少なくとも１つの時間セグメントの期間における、データの送信のため、少なくとも１つの送信パラメータを調整するのを可能にするように前記制御情報を定義するための手段をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいてレート予測状態を定義するための手段と、
前記レート予測状態に基づき、前記時間セグメントの期間のうちの前記少なくとも１つの時間セグメントの期間における持続可能なデータの受信を達成させるための少なくとも１つのパラメータを決定するための手段と、
前記少なくとも１つのパラメータに基づき、要求された送信をスケジューリングするための手段と、をさらに備え、
前記要求された送信は、前記時間セグメントの期間に受信される前記データを提供する、無線通信のための装置。
【請求項８９】
受信するための前記手段は、第２の送信ノードに関するスケジューリングされた送信に関する情報を、前記第２の送信ノード又は第２の受信ノードからさらに受信し、
前記装置は、前記第２の送信ノード又は第２の受信ノードから受信された前記情報に基づいてレート予測状態を定義するための手段をさらに備え、
前記制御情報は、前記レート予測状態に基づいてさらに定義される請求項８８に記載の装置。
【請求項９０】
前記レート予測状態は、確認メッセージと関連づけられた送信開始時間と、送信終了時間と、送信期間と、送信電力デルタと、受信信号強度表示と、から構成される少なくとも１つのグループから成る請求項８９に記載の装置。
【請求項９１】
前記第２の送信ノード又は前記第２の受信ノードから受信された前記情報は、確認メッセージを含む請求項８９に記載の装置。
【請求項９２】
前記確認メッセージは、送信開始時間と、送信終了時間と、送信期間と、送信電力デルタと、パケットフォーマットと、パイロット信号と、から構成される少なくとも１つのグループから成る請求項９１に記載の装置。
【請求項９３】
どれだけの数の時間セグメントが前記データの前記受信に関して用いられるかを調整するように前記制御情報を定義するための手段をさらに備える請求項８８に記載の装置。
【請求項９４】
前記第１の期間の継続時間を調整するように前記制御情報を定義するための手段をさらに備える請求項８８に記載の装置。
【請求項９５】
前記制御情報は、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から構成される少なくとも１つのグループから成る請求項８８に記載の装置。
【請求項９６】
受信するための前記手段は、前記少なくとも１つの時間間隔中において、前記第１の送信ノードによって生成された少なくとも１つの確認メッセージをさらに受信する請求項８８に記載の装置。
【請求項９７】
前記少なくとも１つの確認メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、送信電力デルタと、パケットフォーマットと、パイロット信号と、から構成される少なくとも１つのグループから成る請求項９６に記載の装置。
【請求項９８】
前記装置は、前記第１の期間を定義するための手段をさらに備え、
送信するための前記手段は、前記第１の送信ノードからの前記データを送信する要求に応じて前記第１の期間を示すパラメータを備える許可メッセージをさらに送信する請求項８８に記載の装置。
【請求項９９】
前記時間セグメント及び各時間間隔は、隣接する請求項８８に記載の装置。
【請求項１００】
前記少なくとも１つのパラメータは、送信期間と、送信レートと、送信すべき冗長性ビット数と、コードレートと、から構成される少なくとも１つのグループから成る請求項８８に記載の装置。
【請求項１０１】
前記制御情報は、制御チャネルを介して送信され、
前記データは、データチャネルを介して受信され、
前記制御及びデータチャネルは、共通の周波数帯域内において周波数分割多重化され、
前記制御チャネルは、前記共通の周波数帯域内に散在される複数の副周波数帯域と関連づけられる請求項８８に記載の装置。
【請求項１０２】
受信するための前記手段は、前記データを送信する要求をさらに受信し、前記要求は、前記第１の期間及び前記データの前記受信に関して用いられる資源を定義する請求項８８に記載の装置。
【請求項１０３】
無線通信のためのコンピュータプログラムであって、
スケジューリングされた送信期間から成る第１の期間（ＴＸＯＰ期間）内において定義された複数の第１及び第２の時間セグメント（４２４Ａ及び４２４Ｂ）の期間に、第１の受信ノードにおいて第１の送信ノードからデータを受信し、
前記第１及び第２の時間セグメントの間に配置した一時的な少なくとも１つの時間間隔中（４２６）に制御情報を送信するために少なくとも１つのコンピュータによって実行可能な符号を備え、
前記符号はさらに、前記制御情報に基づき、前記第１の時間セグメント（４２４Ａ）に続く第２の時間セグメント（４２４Ｂ）の期間に、前記データの前記送信のため、少なくとも１つの送信パラメータを調整し、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義し、
前記送信制限状態に基づき、前記第２の時間セグメントの期間におけるデータの前記送信が第２の受信ノードにおける受信と干渉するかどうかを決定し、
前記干渉決定に基づいて前記データを送信する要求を出すために少なくとも１つのコンピュータによって実行可能な符号をさらに備える、無線通信のためのコンピュータプログラム。
【請求項１０４】
無線通信のためのアクセスポイントであって、
アンテナと、
スケジューリングされた送信期間から成る第１の期間（ＴＸＯＰ期間）内において定義された複数の第１及び第２の時間セグメント（４２４Ａ及び４２４Ｂ）の期間に、前記アンテナを介して、第１の受信ノードにおいて第１の送信ノードからデータを受信するように構成された受信機と、
前記第１及び第２の時間セグメントの間に配置した一時的な少なくとも１つの時間間隔中（４２６）に前記アンテナを介して制御情報を送信するように構成された送信機と、を備え、
前記制御情報に基づき、前記第１の時間セグメント（４２４Ａ）に続く第２の時間セグメント（４２４Ｂ）の期間に、前記データの前記送信のため、少なくとも１つの送信パラメータを調整するように構成された送信パラメータ定義器をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義するように構成された状態コントローラと、
前記送信制限状態に基づき、前記第２の時間セグメントの期間におけるデータの前記送信が第２の受信ノードにおける受信と干渉するかどうかを決定するように構成された干渉決定器と、
前記干渉決定に基づいて前記データを送信する要求を出すように構成された制御メッセージ生成器と、をさらに備える、無線通信のためのアクセスポイント。
【請求項１０５】
無線通信のためのアクセス端末であって、
スケジューリングされた送信期間から成る第１の期間（ＴＸＯＰ期間）内において定義された複数の第１及び第２の時間セグメント（４２４Ａ及び４２４Ｂ）の期間に、第１の受信ノードにおいて第１の送信ノードからデータを受信するように構成された受信機と、
前記第１及び第２の時間セグメントの間に配置した一時的な少なくとも１つの時間間隔中（４２６）に制御情報を送信するように構成された送信機と、
前記受信されたデータに基づいて表示を出力するように構成されたユーザーインタフェースと、を備え、
前記制御情報に基づき、前記第１の時間セグメント（４２４Ａ）に続く第２の時間セグメント（４２４Ｂ）の期間に、前記データの前記送信のため、少なくとも１つの送信パラメータを調整するように構成された送信パラメータ定義器をさらに備え、
前記少なくとも１つの送信パラメータは、送信電力と、送信レートと、送信すべき冗長性ビット数と、コードレートと、から構成される少なくとも１つのグループから成り、
前記第１の期間より前に受信された制御情報に基づいて送信制限状態を定義するように構成された状態コントローラと、
前記送信制限状態に基づき、前記第２の時間セグメントの期間におけるデータの前記送信が第２の受信ノードにおける受信と干渉するかどうかを決定するように構成された干渉決定器と、
前記干渉決定に基づいて前記データを送信する要求を出すように構成された制御メッセージ生成器と、をさらに備える、無線通信のためのアクセス端末。
【発明の詳細な説明】
【技術分野】
【０００１】
３５Ｕ．Ｓ．Ｃ．§１１９に基づく優先権の主張
本特許出願は、その開示が本明細書において参照されることによって本明細書に組み入れられ、Ａｔｔｏｒｎｅｙ  Ｄｏｃｋｅｔ Ｎｏ．０６１６７５Ｐ１が割り当てられた、所有者が共通の米国仮特許出願番号６０／８３６，１７９（出願日：２００６年８月７日）の利益及び優先権を主張するものである。
【０００２】
本特許出願は、一般的には、無線通信に関するものである。本特許出願は、より具体的には、ただし非排他的に、非同期無線システムに関するメディアアクセス制御に関するものである。
【背景技術】
【０００３】
無線通信を確立するために様々なネットワークトポロジーを採用することができる。例えば、所定の用途に関して必要な特定の無線通信能力に依存してワイドエリアネットワーク、ローカルエリアネットワーク、又はその他の型のネットワークを配備することができる。
【０００４】
無線ワイドエリアネットワークは、典型的には、免許周波数帯域内における１つの計画された配備である。該ネットワークは、非常に多数のユーザーをサポートするためにスペクトル効率及びサービスの質を最適化するように設計することができる。セルラーネットワークは、無線ワイドエリアネットワークの一例である。
【０００５】
無線ローカルエリアネットワークは、中央集中的な計画策定なしにしばしば配備される。例えば、該ネットワークは、無免許スペクトルにおいてアドホックで配備することができる。従って、この型のネットワークは、単一のユーザー又は少数のユーザーをサポートするために用いることができる。Ｗｉ−Ｆｉネットワーク（すなわち、ＩＥＥＥ８０２．１１に基づくネットワーク）は、無線ローカルエリアネットワークの一例である。
【０００６】
実際上は、上記のネットワークの各々は、所定のタイプのサービスを提供するために行うことができる取捨選択（ｔｒａｄｅｏｆｆ）に起因する様々な欠点を有する。例えば、中央集中的計画策定の複雑さに起因して、無線ワイドエリアネットワークを設定することは相対的に高コストでさらに長時間を要する可能性がある。従って、該方式は、“ホットスポット”での配置にはそれほど適さない場合がある。他方、Ｗｉ−Ｆｉ等のアドホックネットワークは、計画的ネットワークと同じレベルの空間効率（ビット／単位面積）を達成することができない。さらに、ネットワーク内のノード間における潜在的干渉を補償するために、Ｗｉ−Ｆｉネットワークは、干渉緩和技法、例えば搬送波検知多元接続、を採用することができる。しかしながら、該干渉緩和技法は、利用が不良になって公平性に関する制御が制限される可能性があり、隠れている及び露出しているノードの影響を受けやすくなる。
【発明の概要】
【０００７】
本開示の側面例の要約が以下に示される。本明細書における側面への言及は、本開示の１つ以上の側面に言及することが理解されるべきである。
【０００８】
本開示は、幾つかの側面においては、非同期通信をサポートする無線メディアアクセス制御に関するものである。ここで、異なる組のノード（例えば、互いに通信するために関連づけられている送信ノード及び受信ノード）が、その他の組のノードに関して非同期的に通信することができる。従って、所定の組みのノードに関する送信のタイミング及び継続時間は、異なる組のノードに関する送信のタイミング及び継続時間とは無関係に定義することができる。
【０００９】
本開示は、幾つかの側面においては、重なり合う無線送信をサポートする無線メディアアクセス制御に関するものでもある。ここで、一組のノードが、１つ以上の近隣ノードによる現在又は将来の送信を考慮することに基づいて送信をスケジューリングすることができる。この考慮は、例えば、送信がその他のノードと過度に干渉することがなくさらに関連づけられた受信ノードにおいて信頼できる形で受信されるように該当する送信パラメータ、例えば、送信レート、コードレート、及び送信時間、を定義することを含むことができる。
【００１０】
幾つかの側面においては、ノードは、送信を要求又はスケジューリングすべきかどうかを決定するために他のノードによって送信された制御メッセージを解析する。例えば、第１のノードは、スケジューリングされた送信の時間及び前記第１のノードの相対的送信電力を示す制御メッセージ（例えば、許可又は確認）を送信することができる。これにより、この制御メッセージを受信する第２のノードは、前記受信されたメッセージの前記電力レベル及び前記スケジューリングされた送信のレート及び継続時間に基づき、前記第２のノードによる送信が影響を及ぼすかどうか及びどの程度の影響であるか又は前記第２のノードにおける受信が前記第１のノードの前記スケジューリングされた送信による影響を受けるかどうか及びどの程度であるかを決定することができる。例えば、送信ノードは、前記希望される送信が前記送信ノードの近くに所在するノードにおける受信と干渉するかどうかに基づいて受信ノードへの送信要求を開始すべきかどうかを決定することができる。同様に、受信ノードは、対象となる送信がスケジューリングされた送信に鑑みて前記受信ノードの近くに所在する１つ以上のノードによって信頼できる形で受信できるかどうかに基づいて前記要求された送信をスケジューリングすることの許可メッセージを出すべきかどうかを決定することができる。
【００１１】
幾つかの側面においては、スケジューリングされた送信は、幾つかのセグメントに分割することができ、制御メッセージの受信及び送信に関する各セグメント間において期間が定義される。前記送信チャネルの状態又は干渉状態が何らかの形で変化している場合は、前記送信ノードは、この変化を示す制御情報を受信することができ、従って、前記送信ノードは、後続するセグメントに関して１つ以上のパラメータを適合させることができる。さらに、１つ以上の以前にスケジューリングされたセグメント中にデータを送信する必要がない場合は、前記送信ノードは、現在の送信機会が終了できること示す制御情報を受信することができる。さらに、この時点において、前記送信ノードは、後続するセグメントが存在することになるかどうかに関する情報、及び存在することになる場合は前記後続セグメントに関して用いられる送信パラメータに関する情報、を常に提供するために近隣ノードに制御情報を送信することができる。
【００１２】
幾つかの側面においては、前記送信ノードが本来であれば前記スケジューリングされた送信期間中に送信できていることになる制御情報を取得するのを可能にするためにスケジューリングされた送信期間後においてモニタリング期間が定義される。例えば、近隣ノードは、前記送信ノードが制御メッセージを確実に受信するようにするために前記スケジューリングされた送信期間の終了後まで前記メッセージの送信を遅らせることができる。このことは、データチャネルにおいてデータを送信中のノードは時分割複信（“ＴＤＤ”）システムにおいてはデータチャネル又は制御チャネルのいずれにおいても同時にデータを受信することができないという事実による。代替として、近隣ノードは、前記スケジューリングされた送信期間の終了後に制御メッセージを送信することができ、前記制御メッセージは、前記スケジューリングされた送信期間中に以前に送信された情報を含む。
【００１３】
幾つかの側面においては、データ及び制御情報は、前記データ及び制御情報の同時並行送信を可能にするために異なる周波数分割多重化（“ＦＤＭ”）チャネルにおいて送信される。幾つかの実装においては、前記データ及び制御チャネルは隣接する周波数帯域と関連づけられ、それにより、前記制御チャネルの一部分が前記共通の周波数帯域内の前記データチャネルの一部分の間に散在される。この方法により、前記システムの周波数ダイバーシティ及びレート予測を向上させることができる。
【図面の簡単な説明】
【００１４】
本開示の特徴、側面及び利点の例が、以下の発明を実施するための形態及び添付された請求項において、及び添付図面において説明される。
【図１】通信システムの幾つかの側面例の単純化されたブロック図である。
【図２】非同期無線システムにおいてノードによって実行することができる通信動作の幾つかの側面例の流れ図である。
【図３】周波数分割多重化チャネルの幾つかの側面例の単純化された図である。
【図４】メッセージ交換方式の幾つかの側面例の単純化されたタイミング図である。
【図５】送信ノードの幾つかの側面例の単純化されたブロック図である。
【図６】受信ノードの幾つかの側面例の単純化されたブロック図である。
【図７Ａ】図７に含まれ、送信ノードによって実行することができる動作の幾つかの側面例の流れ図である。
【図７Ｂ】図７に含まれ、送信ノードによって実行することができる動作の幾つかの側面例の流れ図である。
【図８Ａ】図８に含まれ、受信ノードによって実行することができる動作の幾つかの側面例の流れ図である。
【図８Ｂ】図８に含まれ、受信ノードによって実行することができる動作の幾つかの側面例の流れ図である。
【図９Ａ】図９に含まれ、資源利用メッセージに基づく公平性方式と関係させて実行することができる動作の幾つかの側面例の流れ図である。
【図９Ｂ】図９に含まれ、資源利用メッセージに基づく公平性方式と関係させて実行することができる動作の幾つかの側面例の流れ図である。
【図１０】制御チャネルにおいて送信すべきかを決定することと関係させて実行することができる動作の幾つかの側面例の流れ図である。
【図１１】ノードが異なる時間において送信する例を示すメッセージ交換方式の幾つかの側面例の単純化されたタイミング図である。
【図１２】ノードが同時に送信する例を示すメッセージ交換方式の幾つかの側面例の単純化されたタイミング図である。
【図１３Ａ】図１３に含まれ、制御情報の送信をスケジューリングすることと関係させて実行することができる動作の幾つかの側面例の流れ図である。
【図１３Ｂ】図１３に含まれ、制御情報の送信をスケジューリングすることと関係させて実行することができる動作の幾つかの側面例の流れ図である。
【図１４】通信構成要素の幾つかの側面例の単純化されたブロック図である。
【図１５】非同期無線通信をサポートするように構成された装置の幾つかの側面例の幾つかの単純化されたブロック図である。
【図１６】非同期無線通信をサポートするように構成された装置の幾つかの側面例の幾つかの単純化されたブロック図である。
【図１７】非同期無線通信をサポートするように構成された装置の幾つかの側面例の幾つかの単純化されたブロック図である。
【図１８】非同期無線通信をサポートするように構成された装置の幾つかの側面例の幾つかの単純化されたブロック図である。
【図１９】非同期無線通信をサポートするように構成された装置の幾つかの側面例の幾つかの単純化されたブロック図である。
【００１５】
共通の慣行により、図面において例示される様々な特長は、原寸どおりに描かなくてもよい。従って、様々な特徴の寸法は、明確化することを目的として任意に拡大又は縮小することができる。さらに、図面の一部は、明確化を目的として単純化することができる。従って、図面は、所定の装置（例えばデバイス）又は方法のすべての構成要素を描かない場合がある。最後に、本明細書及び図全体を通じて類似の特長を表すために類似の参照数字を用いることができる。
【発明を実施するための形態】
【００１６】
本開示の様々な側面が以下において説明される。本明細書における教示は非常に様々な形態で具体化できること及び本明細書において開示される特定の構造、機能、又はその両方は単なる代表例であるにすぎないことが明確なはずである。本明細書における教示に基づき、当業者は、本明細書において開示される側面はその他の側面と無関係に実装できること及びこれらの側面のうちの２つ以上を様々な方法で組み合わせることができることを明確に理解するはずである。例えば、本明細書において詳述される側面のうちのあらゆる数の側面を用いて装置を実装することができ又は方法を実践することができる。さらに、本明細書において詳述される側面のうちの１つ以上に加えての又はそれ以外のその他の構造、機能、又は構造と機能を用いて該装置を実装でき又は該方法を実践することができる。例えば、幾つかの側面においては、送信ノードは、その送信ノードが近隣ノードのスケジューリングされた受信に関して受信している情報に基づいて送信要求を出すべきかどうかを決定する。さらに、幾つかの側面においては、受信ノードは、その受信ノードが近隣ノードのスケジューリングされた送信に関して受信している情報に基づいて送信をスケジューリングすべきかどうかを決定する。
【００１７】
図１は、無線通信システム１００の幾つかの側面例を示す。システム１００は、一般的にはノード１０２及び１０４として指定される幾つかの無線ノードを含む。所定のノードは、１つ以上のトラフィックフローを受信する、１つ以上のトラフィックフローを送信する、又はその両方を行うことができる。例えば、各ノードは、少なくとも１つのアンテナと、関連づけられた受信機構成要素と、送信機構成要素と、を備えることができる。以下の説明においては、用語受信ノードは、受信中のノードを指すために用いることができ、用語送信ノードは、送信中のノードを指すために用いることができる。該指すことは、そのノードが送信動作と受信動作の両方は行うことができないということを意味するものではない。
【００１８】
幾つかの実施形態においては、ノードは、アクセス端末、中継点、又はアクセスポイントを備えることができる。例えば、ノード１０２は、アクセスポイント又は中継点を備えることができ、ノード１０４は、アクセス端末を備えることができる。典型的実装においては、アクセスポイント１０２は、ネットワーク（例えば、Ｗｉ−Ｆｉネットワーク、セルラーネットワーク、ＷｉＭａｘネットワーク、ワイドエリアネットワーク、例えばインターネット、等）に関する接続性を提供する。中継点１０２は、他の中継点への又はアクセスポイントへの接続性を提供することができる。例えば、アクセス端末（例えば、アクセス端末１０４Ａ）が中継点（例えば、中継点１０２Ａ）又はアクセスポイント（例えば、アクセスポイント１０２Ｂ）のカバレッジエリア内に所在するときには、アクセス端末１０４Ａは、システム１００又はその他の何らかのネットワークに接続された他のデバイスと通信することができる。
【００１９】
幾つかの側面においては、システム１００内の異なる組のノードは、その他の組のノードに関して非同期的な形で通信することができる。例えば、関連づけられたノードから成る各組（例えば、ノード１０４Ａ及び１０４Ｂを含む組）は、組内のノードのうちの一方のノードが組内の他方のノードに対してどの時点で及びどれだけの時間にわたってデータを送信するかを独立して選択することができる。該システムにおいては、通信媒体の利用可能な帯域幅を実際上可能なかぎり利用する一方で、ノード間干渉を低減させるために及び通信媒体へのアクセスが全ノードに対して公平に提供されるようにするために様々な技法を採用することができる。
【００２０】
以下の説明は、例えば干渉を低減させるため、資源の公平な分配を容易にするため、及び相対的に高いスペクトル効率を達成させるために採用することができる様々なメディアアクセス制御技法及び関連技法について説明する。最初に図２に関して、この図は、近隣の無線ノードと同時に及び同じチャネルにおいて送信すべきかどうか及びどのように送信すべきかを決定するために無線ノードによって実行することができる動作の概要を示す。
【００２１】
幾つかの側面においては、無線ノードは、別個の制御及びデータチャネルの使用を通じて通信することができる。さらに、幾つかの実装においては、制御チャネルは、相対的に短い制御メッセージを送信するために用いることができる。この方法により、制御チャネルは、軽く利用することができ、このことは、制御チャネルにおける遅延を低減させること及びランダムアクセスをサポートする場合はそのチャネルにおける衝突を低減させることができる。
【００２２】
ブロック２０２によって表されるように、幾つかの側面においては、無線ノードは、周波数分割多重化された制御及びデータチャネルを介して通信することができる。周波数分離されたチャネルの使用を通じて、異なる組の無線ノードがデータ及び制御情報を同時に送信及び受信し、それによってデータチャネルの利用を向上させることができる。例えば、第１の無線ノードから第２の無線ノードにデータを送信するためにデータチャネルが用いられているのと同じ時点において、このデータ交換に関わっていないその他の無線ノードは、現在のデータ交換と重なり合う形で又は現在のデータ交換が完了した時点でデータチャネルを設定するために制御チャネルにおいて制御情報を交換することができる。このように、その他の無線ノードは、データチャネルに関して競争するために現在のデータ送信の終了まで待つ必要がない。
【００２３】
図３は、データチャネル及び制御チャネルを周波数分割多重化できる方法の一例を単純化した形で示す。この例においては、サブチャネル３０４Ａ乃至３０４Ｄによって表される制御チャネル３０４、及びサブチャネル３０６Ａ乃至３０６Ｄによって表されるデータチャネルは、共通の周波数帯域３０２内において隣接して定義される。ここで、周波数帯域３０２は、ｆ１のより低い周波数からｆ２のより高い周波数までの周波数範囲として定義される。しかしながら、共通の周波数帯域３０２は、その他の何らかの形で（例えば、実質的に隣接する又は隣接しない形で）定義できることが明確に理解されるべきである。
【００２４】
図３において、制御チャネル３０４は、データチャネル３０６とトーン−インターリービングされる。換言すると、制御チャネルは、共通の周波数帯域３０２内に散在された複数の副周波数帯域と関連づけられる。該トーン−インターリービングされた制御チャネルの使用は、周波数ダイバーシティ及び向上されたレート予測を提供することができる。例えば、本開示の幾つかの側面により、制御チャネルＲＳＳＩ測定値を、信号及び干渉の推定に関して及びデータチャネルを通じての送信に関する適切なレートを予測するために用いることができる。従って、制御チャネルの一部分をデータチャネル全体にわたって散在させることによって、これらの測定値は、データチャネル全体を通じての状態をより正確に反映させることができる。この方法によってより正確な干渉推定を行うことができることを考慮した場合、システムは、この干渉にさらされるデータ送信に関する受入可能な送信及びコーディングレートをより良く選択することができる。
【００２５】
上記の方法によって１つ以上の制御チャネル及び１つ以上のデータチャネルを定義できることが明確に理解されるべきである。例えば、サブチャネル３０４Ａ乃至３０４Ｄは、単一の制御チャネル又は複数の制御チャネルを表すことができる。同様に、サブチャネル３０６Ａ乃至３０６Ｄは、単一のデータチャネル又は複数のデータチャネルを表すことができる。
【００２６】
図３は、幾つかの実装においては隣接する制御サブチャネルとデータサブチャネルとの間において周波数ガード帯域３０８を定義できることを示す。換言すると、サブチャネル間における周波数帯域３０２の部分組は、データチャネル又は制御チャネルのいずれにも割り当てることができない。この方法により、隣接するデータサブチャネルと制御サブチャネルとの間における干渉をある程度低減させることで例えば遠近問題を軽減することができる。
【００２７】
上記は、無線ノードがどのようにして通信できるかを示す一例のみを説明するにすぎないことが明確に理解されるべきである。従って、その他の実装においては、データ及び制御情報は、共通のチャネルにおいて又はその他の形で送信することができる。例えば、データ及び制御チャネルは、周波数分割多重化ではなく時分割多重化することができる。
【００２８】
さらに、制御チャネルに関してその他の多重化形態を採用することができる。例えば、時間内に幾つかのＯＦＤＭシンボルが存在する場合は、制御チャネルは、図３の例と同じ効果を有効に達成させるためにシンボルからシンボルに周波数ホッピングすることができる。この方式は、全ＯＦＤＭシンボルにわたって幾つかの選択された周波数（例えば、図３に示される４つの帯域）のみを利用することの代替として採用することができる。
【００２９】
再度図２に関して、ブロック２０４によって表されるように、ノードは、干渉の管理及び公平性をサポートするために１つ以上のその他のノードからの制御情報の有無に関して通信媒体をモニタリングすることができる。ここで、（例えばノード間の距離に起因して）他のノードから制御メッセージを受信しない送信ノードは制御メッセージを送信したノードと干渉しないと仮定することができる。逆に、制御メッセージを実際に受信するノードは、制御メッセージを送信したノードと干渉しないようにするための適切な措置を講じることが期待される。
【００３０】
例えば、システム内の各ノードは、スケジューリングされた（例えば、現在の又は後続する）送信に関する一定の詳細を提供する制御情報を送信することができる。従って、この制御情報を受信する付近のノードは、スケジューリングされた送信と過度に干渉することなしに自己のデータ送信がスケジューリングされた送信と完全に又は部分的に重なり合うことができるかどうかを決定するために情報を解析することができる。公平性は、所定の受信ノードが期待されるサービス品質レベルにおいてデータを受信中でないかどうかを示す資源利用メッセージの使用を通じて達成させることができる。ここで、資源利用メッセージを受信するいずれの送信ノードも、不利な状況にある受信ノードにおける受信を向上させるように自己の送信を制限することができる。
【００３１】
図４は、一対の関連づけられた無線ノードＡ及びＢにおける情報（例えば、メッセージ）の受信及び送信の一例を示す単純化されたタイミング図である。上の波形４０２は、ノードＡによって送信及び受信された制御チャネル情報を表す。中央の波形４０４は、ノードＢによって送信及び受信された制御チャネル情報を表す。下の波形４０６は、データチャネルを介してのノードＡからノードＢへのデータの送信を表す。各々の制御チャネルに関して、情報の送信は、水平線の上方のブロック（例えば、ブロック４０８）によって表され、情報の受信は、水平線の下方のブロック（例えば、ブロック４１０）によって表される。さらに、ダッシュ線のボックスは、他方のノードによって送信された情報を一方のノードにおいて対応して受信することを表す。
【００３２】
幾つかの実装においては、一対の関連づけられたノードは、干渉を管理し及びシステム資源の再利用を最大化するために要求−許可−確認方式を採用することができる。要約すると、他のノード（すなわち、受信ノード）にデータを送信することを希望するノード（すなわち、送信ノード）は、送信要求を送信することによって交換を開始する。関連づけられた受信ノードは、要求を許可することによって送信をスケジューリングすることができ、この許可は、送信がいつ及びどのようにして行われるかを定義することもできる。送信ノードは、確認を送信することによって許可の受信について肯定応答する。
【００３３】
幾つかの実装においては、許可及び確認は、スケジューリングされた送信の１つ以上のパラメータを記述する情報を含むことができる。例えば、この情報は、送信がいつ行われるか、送信に関して用いられる送信電力、及び後述されるその他のパラメータを示すことができる。それにより、ノードは、この情報を近隣ノードから定期的に取得するように制御チャネルをモニタリングし、取得された情報を用いて（受信ノードに関する受信に対応する）自己の送信をスケジューリングすべかどうか又はどのようにスケジューリングすべきかを決定することができる。
【００３４】
図４は、線４１２によって表されるようにノードＡが近隣のノードからの一連の許可をある期間にわたって観測しておりさらにノードＢが近隣のノードからの一連の確認をある期間にわたって観測している例を示す。制御チャネルにおけるこれらの観測された許可（４１４Ａ乃至Ｃ）及び確認（４１６Ａ乃至Ｃ）は、ノードＡ又はノードＢのいずれのノードによる送信又は受信とも関連していないことに注目すること。ここで、これらの許可は、許可ブロック（“Ｇ”）４１４Ａ乃至４１４Ｃによって表され、確認は、確認ブロック（“Ｃ”）４１６Ａ乃至４１６Ｃによって表される。ノードは、期間４１２中にその他の型の制御メッセージを受信できることが明確に理解されるべきである。しかしながら、送信ノード（例えば、ノードＡ）による許可の受信及び受信ノードによる確認の受信（例えば、ノードＢ）は、ブロック２０４の動作に関する直下の説明の主な焦点である。
【００３５】
幾つかの側面においては、ノードＡは、受信された許可に基づいて送信制限状態（ｔｒａｎｓｍｉｔ  ｃｏｎｓｔｒａｉｎｔｓ  ｓｔａｔｅ）を生成する。例えば、送信制限状態は、各々の許可によって提供される情報のレコードを備えることができる。この方法により、ノードＡは、ノードＡの近くに所在する受信ノードによってスケジューリングされている送信に関連する情報を有することになる。従って、送信制限状態は、ノードＡが干渉する可能性がある受信ノードのうちのいずれかが現在データを受信中であるかどうか又はデータを受信予定であるかどうかを決定することができる仕組みを提供する。
【００３６】
同様の方法で、ノードＢは、受信された確認に基づいてレート予測状態を生成する。幾つかの実装においては、レート予測状態は、確認の各々によって提供された情報のレコードを備えることができる。従って、ノードＢは、ノードＢの近くに所在する送信ノードのスケジューリングされた送信に関連する情報を有することになる。この方法により、レート送信予測状態は、ノードＢにおいて干渉する可能性があるいずれかの送信ノードが現在データを送信中であるか又はデータを送信予定であるかをノードＢが決定することができる仕組みを提供する。
【００３７】
ここで、ノードＢの近隣ノードはノードＡの近隣ノードとは異なることができる点が明確に理解されるべきである。例えば、近隣ノードの定義が、ノードが他のノードから制御メッセージを受信できるかどうかに基づく場合においては、ノードＡ及びＢが公平な距離だけ分離されている場合は、ノードＢと通信することができるノードの一部は、ノードＡと通信することができず、逆も同様である。従って、ノードＡ及びＢは、本明細書において説明される干渉回避動作及び公平性動作と関係して自己の近隣ノードを独立して識別することができる。
【００３８】
再度図２の流れ図に関して、要求−許可−確認メッセージ交換例が説明される。ブロック２０６において、受信ノードにデータを送信することを希望する送信ノードは、送信要求を送信することができる。ここで、要求を出すべきかどうかに関する送信ノードによる決定は、自己の送信制限状態に基づく（例えば、受信された制御情報に基づく）ことができる。例えば、ノードＡは、自己のスケジューリングされた送信がノードＡの近くに所在する受信ノードにおけるスケジューリングされた受信と干渉するかどうかを決定することができる。以下においてさらに詳細に説明されるように、この決定に基づいて、ノードＡは、自己の送信を進行させる、自己の送信を延期する、又は自己の送信と関連づけられた１つ以上のパラメータを変更することを決定することができる。
【００３９】
送信ノードが送信をスケジューリングできると決定した場合は、送信ノードは、受信ノードに要求メッセージを送信する。図４の例においては、このことは、要求ブロック（“Ｒ”）４０８によって表される。
【００４０】
ブロック２０８によって表されるように、要求が受信された時点で、関連づけられた受信ノードは、要求された送信をスケジューリングすべきかどうかを決定する。ここで、要求された送信をスケジューリングすべきかどうかの受信モードの決定は、そのレート予測状態に基づく（例えば、受信された制御情報に基づく）ことができる。例えば、ノードＢは、ノードＢの近くに所在する送信ノードによるスケジューリングされた送信に鑑みて要求された送信を信頼できる形で受信できるかどうかを決定することができる。以下においてさらに詳細に説明されるように、この決定に基づいて、ノードＢは、要求された送信をスケジューリングする、要求された送信をスケジューリングしない、又は送信の持続可能な受信を可能にするために要求された送信と関連づけられた１つ以上のパラメータ（例えば、送信タイミング、送信電力、送信レート、コードレート）を調整することを決定することができる。
【００４１】
受信ノードが送信をスケジューリングすることを選択した場合は、受信ノードは、許可を送信ノードに送信する。図４の例においては、許可ブロック（“Ｇ”）４１８は、ノードＢ及びノードＡによる許可メッセージの送信及び受信をそれぞれ表す。上述されるように、許可は、スケジューリングされた送信に関連する情報を含むことができる。従って、許可４１８を受信する送信ノードは、この情報に基づいて送信制限状態を定義（例えば、更新又は生成）することができる。
【００４２】
図２のブロック２１０によって表されるように、関連づけられたノードから許可メッセージを受信した時点で、送信ノードは、関連づけられた受信ノードによる許可を確認するため及びスケジューリングされた送信を近隣ノードに知らせるための確認メッセージをブロードキャストする。図４の例においては、確認ブロック（“Ｃ”）４２０は、ノードＡ及びノードＢのそれぞれによる許可メッセージの送信及び受信を表す。上述されるように、確認は、スケジューリングされた送信に関連する情報を含むことができる。従って、確認４２０を受信する受信ノードは、この情報に基づいてレート予測状態を定義（例えば、更新又は生成）することができる。
【００４３】
ブロック２１２によって表されるように、確認の送信に引き続き、送信ノードは、図４において送信機会（“ＴＸＯＰ”）間隔４２２によって表されるスケジューリングされた送信期間中にデータを送信する。幾つかの実装においては、進行中の送信に関する干渉管理及びレート選択の向上を可能にするために（例えば、相対的に長いＴＸＯＰ期間と関連づけられた）単一の送信機会をより小さいセグメントに分割することができる。図４の例においては、スケジューリングされた送信は、制御情報を受信又は送信するために指定された時間間隔４２６によって分離される一連の送信時間セグメント４２４Ａ及び４２４Ｂであると定義される。例えば、ノードＡは、時間セグメント４２４Ａ中にデータを送信し、次に時間間隔４２６中に制御メッセージの有無に関してモニタリング及び／又は制御メッセージを送信し、次に、時間セグメント４２４Ｂ中に再度データを送信することができる。図４の期間の相対的長さは、実際のシステムにおいて用いることができる長さとは必ずしも同じでないことが明確に理解されるべきである。
【００４４】
送信をこのように細分することによって、ノードＡは、通信媒体における状態が最初の許可４１８の時点から変化していると決定された場合に後続する時間セグメント（例えば、時間セグメント４２４Ｂ）中にデータの送信を適合させることができる。例えば、時間セグメント４２４Ａ中においては、ノードＢは、近隣ノードのうちの１つから追加の制御情報（例えば、確認４１６Ｄ）を受信することができる。（例えば、時間セグメント４２４Ｂ中におけるスケジューリングされた送信を示す）この情報に基づき、ノードＢは、自己のレート予測状態を適合化することができる。レート予測状態の変化が時間セグメント４２４Ｂ中におけるチャネル状態に関連する場合は、ノードＢは、ノードＡによる後続送信に関して送信パラメータ（例えば、送信レート、含めるべき冗長性ビット数、等）を適合化することができる。
【００４５】
幾つかの実装においては、受信ノードは、所定の送信セグメントの肯定応答と関係させて、上記のような送信パラメータを関連づけられた送信ノードに送信することができる。図４の例においては、ノードＢは、セグメント４２４Ａの受信について肯定応答するための肯定応答４２８をノードＡに送信する。肯定応答４２８は、許可４１８において送信された情報と同様の情報を含めること又は該情報と関係させて送信することもできる。従って、この情報は、後続セグメント（例えば、セグメント４２４Ｂ）の送信のためにノードＡによって用いられる送信期間、送信電力情報、及びその他の情報を定義するか又はこれらの情報と関連させることができる。肯定応答４２８は、ノードＢの近くに所在する送信ノードが各々の送信制限状態を更新できるようにこれらの送信ノードに対してこの情報を提供するために用いることもできる。
【００４６】
幾つかの実装においては、ノードＡは、間隔４２６中におけるその他のノードからの制御情報の有無に関してモニタリングすることができる。例えば、ノードＡは、許可又は資源利用メッセージを受信することができ、それにより、ノードＡは、受信された情報に基づいて現在の送信又は後続する送信を調整することを選択することができる。
【００４７】
幾つかの実装においては、ノードＡは、間隔４２６中に確認４３０を送信することができる。確認４３０は、例えば、確認４２０によって提供される情報と同様の情報を含むことができる。従って、確認４３０は、後続セグメント（例えば、セグメント４２４Ｂ）の送信のためにノードＡによって用いられる送信期間、送信電力情報、及びその他の情報を定義するか又はこれらの情報と関連させることができる。幾つかの事例においては、確認４３０は、肯定応答４２８に応じて生成することができる。特に、肯定応答４２８が、後続する時間セグメントに関する送信パラメータの適合化を要求した場合は、確認４３０は、ノードＡの近くに所在する受信ノードが各々のレート予測状態を更新できるようにこれらの受信ノードに対してこの情報を提供するために用いることができる。
【００４８】
再度図２に関して、幾つかの実装においては、ブロック２１４によって表されるように、送信ノードは、自己の送信を完了後に、定義された期間の間制御チャネルをモニタリングすることができる。例えば、図４のＴＸＯＰ後モニター期間４３２によって表されるように、この期間は、ＴＸＯＰ期間４２２の直後に（又は実質的に直後に）続くことができる。このモニター期間の使用を通じて、ノードは、ノードが引き続いてデータ送信要求を開始すること及びノードにおけるデータの受信をスケジューリングする許可を生成することを可能にするために送信制限状態及びレート予測状態情報を定義する（例えば、更新又は再取得する）ことができる。ここで、ノードは、ノードが送信中であった期間（例えば、時間セグメント４２４Ａ及び時間セグメント４２４Ｂ）中に制御メッセージを受信しておくことができない点が明確に理解されるべきである。例えば、ノードＡは、ノードＡの近くに所在する受信ノード及び送信ノードによってそれぞれ送信されている許可４１０及び確認４３４を受信していないことになる。従って、幾つかの実装においては、これらの近隣ノードは、ノードＡがこの情報に基づいて自己の状態を定義できるようにＴＸＯＰ後の期間４３２中にこの情報を送信するように構成することができる。
【００４９】
幾つかの実装においては、ノードは、近隣ノード（例えば、ノードＡ）が制御情報を確実に受信するようにこの情報の送信を送らせるように構成することができる。ここで、ノードは、自己の近隣ノードがいつ送信することになるかを決定するためにこれらの近隣ノードによって送信される制御情報（例えば、ノードＡからの確認４２０）をモニタリングすることができる。これで、ノードは、近隣ノードの送信期間（例えば、期間４２２）の完了後まで制御情報の送信を遅らせることができる。このことは、図４において、例えばＴＸＯＰ後の期間４３２中にノードＡによって受信される許可４３６及び確認４３８によって例示される。
【００５０】
幾つかの実装においては、ノードは、近隣ノード（例えば、ノードＡ）が制御情報を確実に受信するようにするためにこの情報を再送信するように構成することができる。この場合は、ノードは、最初に通常の(例えば遅延されない）時間に制御情報（例えば、許可４１０又は確認４３４）を送信することができる。しかしながら、ノードは、ノードが自己の制御情報を送信時に近隣ノード（例えば、ノードＡ）のうちのいずれかが送信予定であるか又は送信中であったかどうかを決定するためにこれらの近隣ノードによって送信された制御情報をモニタリングすることもできる。その場合は、ノードは、以前に送信された情報を繰り返す追加の制御情報を送信することができる。この場合は、ＴＸＯＰ後の期間４３２中にノードＡによって受信される許可４３６及び確認４３８は、“再送信された”制御情報に対応することができる。
【００５１】
幾つかの実装においては、ＴＸＯＰ後期間４３２の長さは、無線通信システムにおける時間セグメント（例えば、時間セグメント４２４Ａ）の最大長＋間隔４２６の最大長と少なくとも同じ長さであると定義される。この方法により、期間４３２中に制御チャネルをモニタリング中であるノードは、システム内のその他の組の関連づけられたノードに関して定義される間隔４２６中に送信された肯定応答又は確認を確実に受信することができる。さらに、不利な状況にある受信ノードは、その不利な状況にある受信ノードにおけるサービスの質を向上させるようにするために期間４３２を用いて資源利用メッセージ（“ＲＵＭ”）をブロードキャストすること又は指示されたＲＵＭを特定のノード（例えば、受信ノードにとっての不公平の原因となっているＴＸＯＰと関連づけられたノード）に送信することができる。以下においてさらに詳細に説明されるように、ＲＵＭは、ノードが自己の近隣ノードに送信を断念させそれによってノードがチャネルへのアクセスを都合良く入手するのを可能にするための仕組みを提供する。ＲＵＭの幾つかの実装例及び用途例に関する様々な詳細が、その開示が本明細書において参照されることによって本明細書に組み入れられている米国特許出願発行番号２００７／０１０５５７４において説明される。
【００５２】
上記の説明を念頭に置いて、本明細書における教示に基づいて採用することができる追加の実装の幾つかの例及び動作上の詳細が図５乃至８と関係させて説明される。図５は、送信ノード５００（例えば、送信動作を実行中の無線ノード）と関連づけられた幾つかの機能的構成要素例を示す。図６は、受信ノード６００（例えば、受信動作を実行中の無線ノード）の幾つかの機能的構成要素例を示す。図７は、送信ノードによって実行することができる幾つかの動作例を例示する。図８は、受信ノードによって実行することができる幾つかの動作例を例示する。
【００５３】
最初に図５及び６に関して、送信ノード及び受信ノード５００及び６００は、互いに又はその他の無線ノードと通信するための様々な構成要素を含む。例えば、ノード５００及び６００は、無線媒体を介して情報（例えば、データ及び制御情報）を送信し及び情報を受信するためのトランシーバ５０２及び６０２をそれぞれ含む。さらに、ノード５００及び６００は、制御メッセージを生成するための制御メッセージ生成器５０６及び６０６と、受信された制御メッセージを処理するための制御メッセージプロセッサ５０４及び６０４と、をそれぞれ含む。チャネル定義器５０８及び６０８は、互いに又はその他のノードと通信するためにノード５００及び６００によって用いられるデータ及び制御チャネルを定義、選択、又はその他の形で実装するために協力することができる。例えば、チャネル定義器５０８及び６０８は、（例えば、図３において例示されるように）データ及び制御情報が該当する周波数帯域を介して送信及び受信されるようにトランシーバ５０２及び６０２とそれぞれ協力することができる。ノード５００及び６００は、例えば送信パラメータ５１０及び６１０及び状態レコード５１２及び６１２を格納するための各々のデータメモリも含む。さらに、送信ノード５００は、ノード５００の様々な送信関連動作を制御するための送信コントローラ５１４を含み、受信ノード６００は、ノード６００の様々な受信関連動作を制御するための受信コントローラ６１４を含む。受信ノード６００は、資源利用メッセージを生成するための資源利用メッセージ（“ＲＵＮ”）生成器６１６も含み、他方、送信ノード５００は、受信されたＲＵＭを処理するためのＲＵＭプロセッサ５３２を含む。
【００５４】
送信ノード５００及び受信ノード６００の動作例が、図７及び８の流れ図とそれぞれ関係させてさらに詳細に説明される。便宜上、図７及び８の動作（又は本明細書において説明又は教示されるその他の動作）は、特定の構成要素（例えば、ノード５００又は６００の構成要素）によって実行されるとして説明することができる。しかしながら、これらの動作は、その他の型の構成要素によって実行できること及び異なる数の構成要素を用いて実行できることが明確に理解されるべきである。さらに、所定の実装においては本明細書において説明される動作のうちの１つ以上を採用できないことも明確に理解されるべきである。
【００５５】
ブロック７０２及び８０２によって表されるように、ノード５００及び６００は、制御メッセージの有無に関して制御チャネルを定常的にモニタリングする。例えば、典型的構成においては、ノード５００の受信機５１８及びノード６００の受信機６１８は、各々、各ノードの対応する送信機５２０及び６２０が送信中でないときに常に制御チャネルをモニタリングする。換言すると、ノードは、受信中又はアイドル状態のときに制御メッセージを取得することができる。この方法により、ノード５００及び６００の各々は、近隣ノードと関連づけられたスケジューリングされた送信と関連する制御情報を取得し、それによって後述されるように状態を維持することができる。
【００５６】
各ノードの制御メッセージプロセッサ５０４及び６０４は、各々の受信された制御メッセージを処理し、送信スケジュール及びその他の情報をメッセージから抽出する。上述されるように、受信された制御メッセージは、許可、確認、肯定応答、又はその他の適切な制御情報を含むことができる。ここで、送信することを希望するノード（すなわち、送信ノード）に関しては、その送信ノードは、これらの制御メッセージによって提供された情報を用いて近隣ノードのスケジューリングされた受信と干渉するかどうかを決定するため、近隣の受信ノードによって生成される許可及び肯定応答が特に対象となる。逆に、受信することを希望するノード（すなわち、受信ノード）に関しては、その受信ノードは、これらの制御メッセージによって提供された情報を用いてこれらのノードによるスケジューリングされた送信に鑑みて持続可能な形でデータを受信できるかを決定するため、近隣の送信ノードによって生成される確認が特に対象となる。
【００５７】
上述されるように、許可及び肯定応答は、許可された資源に関連する情報と、対応する許可されたＴＸＯＰのタイミング及び継続時間と、を含むことができる。これらのタイミングパラメータは、例えば、ＴＸＯＰに関する開始時間と、ＴＸＯＰに関する終了時間と、ＴＸＯＰの継続時間と、を含むことができる。幾つかの実装においては、これらのタイミングパラメータは、メッセージの送信時間又は何らかのその他のタイミング基準に関するものであることができる。
【００５８】
許可又は肯定応答は、受信ノードにおける送信の信頼できる受信を容易にするために受信ノードにおいて定義された送信パラメータを含むこともできる。上述されるように、受信ノードは、受信ノードの近隣に所在するノードによるスケジューリングされた（例えば、進行中の又は将来の）送信に基づいてこれらのパラメータを定義することができる。この情報は、例えば、スケジューリングされた送信中に関連づけられた送信ノードによって用いられる推奨又は指定された送信パラメータ、例えば送信電力、送信レート、送信すべき冗長性ビット数、及びコードレート、を含むことができる。
【００５９】
幾つかの実装においては、許可又は肯定応答は、受信ノードにおいて予想されるチャネル対干渉比（“Ｃ／Ｉ”）を示すことができる。この場合は、関連づけられた送信ノードは、この情報を用いて該当する送信パラメータを定義することができる。
【００６０】
幾つかの実装においては、許可又は肯定応答は、受信ノードにおける受信マージンを示すことができる。この受信マージンは、例えば、制御メッセージによって提供される送信パラメータ内においてどれだけの（例えば、デシベル単位で定義された）マージンを組み入れるかを示すことができる。従って、送信ノードは、受信マージン情報を用いることで、重なり合う送信によって引き起こされた干渉が、受信ノードにおける誤り訂正機構（例えば、ＨＡＲＱ）が関連づけられたパケットを復元できるような低さになるようにすることができる。
【００６１】
幾つかの実装においては、許可又は確認は、特定の送信電力値が受信ノードに対してどの程度の影響を及ぼすか（例えばどの程度干渉するか）を決定するために近隣ノードが用いることができるパイロット信号を備えるか又は該パイロット信号と関連づけることができる。例えば、パイロット信号は、固定された既知の電力スペクトル密度又は送信電力と関連づけることができ、それにより、送信ノードは、この既知の情報を用いて近隣の受信ノードへの経路損を決定することができる。この目的のために、受信機５１８は、受信された信号（例えば、パイロット）の信号強度を測定するために用いることができる受信信号強度表示（“ＲＳＳＩ”）測定器５２４を含むことができる。幾つかの実装においては、このパイロット信号は、制御サブチャネルのうちの１つ以上において送信することができ、従って、（例えば周波数選択性フェージングを有するチャネルにおいて有利であるようにするために）チャネル全体のサンプルを信頼できる形で入手することができる。  
幾つかの実装においては、確認は、許可及び確認と関係させて上述される情報と同様の情報を含むことができるが、この場合においては、この情報は、スケジューリングされた送信期間中に送信する予定の近隣ノードからの情報である。例えば、確認は、ＴＸＯＰに関する開始時間と、ＴＸＯＰに関する終了時間と、ＴＸＯＰの継続時間と、送信電力と、送信レートと、送信すべき冗長性ビット数と、コードレートと、を含むことができる。
【００６２】
確認は、パイロット信号を備えること又はパイロット信号と関連づけることもできる。繰り返すと、パイロット信号は、固定された既知の電力スペクトル密度又は送信電力と関連づけることができ、それにより、受信ノードは、送信ノードへの経路損を決定することができる。従って、受信機６１８は、受信された確認信号（例えば、パイロット）の信号強度を測定するために用いることができるＲＳＳＩ測定器６２４を含むこともできる。  
幾つかの実装においては、確認は、スケジューリングされた送信に関して送信ノードによって用いられる送信電力デルタを示すことができる。この電力デルタは、例えば、スケジューリングされた送信中に送信すべきメッセージの電力レベルと確認（例えば、関連づけられたパイロット信号）の電力レベルとの間の差（例えば、増減）を示すことができる。受信された確認の送信電力デルタ及び測定された電力レベルの使用を通じて、受信ノードは、近隣の送信ノードからどれだけの干渉を予想できるかを決定することができる。例えば、以前にスケジューリングされた送信に関する受信された確認に基づいて、受信ノードは、受信された干渉レベル対時間のプロフィール（例えば、状態レコード）を構築することができる。
【００６３】
ブロック７０４及び８０４によって表されるように、状態コントローラ５２２及び６２２は、受信された制御情報に基づいて各ノードに関する状態レコードを定義する。ここで、新しい制御情報が受信されるのに従い、該当する状態レコードに加えられる。逆に、（ＴＸＯＰの終了時間を現在の時間と比較することによって示されるように）所定のＴＸＯＰが完了された時点で、関連づけられたレコードが状態レコードから削除される。
【００６４】
送信制限状態レコード５１２は、送信ノード５００にとっての特別の対象であるため、これらのレコードが図５に示される。上述されるように、送信制限状態は、受信された許可のレコード、及び幾つかの実装においては受信された肯定応答、を含む。従って、所定の受信されたメッセージに関する状態レコード５１２のエントリ５２６は、スケジューリングされた送信の開始時間（又は、送信が進行中である場合は現在の時間）と、対応する終了時間と、送信期間と、受信マージンと、受信されたメッセージと関連づけられたＲＳＳＩと、Ｃ／Ｉと、メッセージを送信したノード（例えば、許可又は肯定応答を送信したノード）の受信マージンと、を含むことができる。
【００６５】
レート予測状態レコード６１２は、受信ノード６００にとっての特別の対象であるため、これらのレコードが図６に示される。レート予測状態は、受信された確認のレコードを含む。従って、所定の受信されたメッセージに関する状態レコード６１２のエントリ６２６は、スケジューリングされた送信の開始時間（又は、送信が進行中である場合は現在の時間）と、対応する終了時間と、送信期間と、受信されたメッセージと関連づけられたＲＳＳＩと、メッセージを送信したノードの送信電力デルタと、を含むことができる。
【００６６】
今度は、図８及び７のブロック８０６及び７０６に関して、幾つかの実装においては、システム内のノードは、システムの資源がノード間において公平に共有されるようにするために資源利用メッセージ（“ＲＵＭ”）を実装することができる。一般的には、ブロック８０６の動作は、受信ノードが（例えば、ノードが受信中に“経験する”干渉に起因して）不利な状況にあること及びノードが共有されている通信媒体（例えば、所定のデータチャネル）に対する優先的アクセスを希望することを示すためのメッセージを制御チャネルを通じて送信することを含む。図７のブロック７０６において、送信ノードは、いずれかの近隣ノードがＲＵＭを送信しているかどうかを決定するために制御チャネル上における着信トラフィックをモニタリングする。この情報は、送信ノードが送信要求を呼び出すことを希望するときに常に考慮される。ＲＵＭに基づく方式に関連する動作例が図９と関係させてより詳細に説明される。
【００６７】
図９Ａにおいてブロック９０２によって表されるように、いずれかの時点において（例えば定期的に）、受信ノードは、期待されるサービス品質レベル（例えば、期待されるデータレート又はレーテンシー）に従ってデータを受信中であるかどうかを決定する。幾つかの事例においては、サービスの質は、近隣の送信ノードからの干渉に起因して期待されるよりも低くなることがある。例えば、受信ノードは、近隣ノードのスケジューリングされた送信に起因して関連づけられたノードからの送信要求を許可できないことがある。受信ノードが不利な状況にあると決定した場合は、受信ノードは、近隣ノードによる干渉を低減させることを試みてＲＵＭを生成することができる。近隣ノードによる応答は、ＲＵＭを送信中のノードを満足させるために要求頻度を下げるか又は電力を低下させるか又はその他の適切な手段によってデータチャネルでの送信を求めた競争レベルをある期間だけ下げることに関するものであることができる。  
ブロック９０４によって表されるように、幾つかの実装においては、ＲＵＭは、受信無線ノードにおける受信が希望されるサービス品質レベルをどの程度満たしていないか（例えば、受信ノードが不利な状況にある度合い）を示すために重みを付ける（例えば、重み値を含む）ことができる。例えば、不利な状況にある受信ノードは、期待される受信データレートが実際の受信データレートとどの程度異なるか（例えば、２つの値の比）を示すＲＵＭ重み値を計算することができる。
【００６８】
ブロック９０６によって表されるように、実際上は、ＲＵＭは、様々なタイプの情報を含むことができる。例えば、幾つかの実装においては、ＲＵＭは、希望される干渉低減レベルを指定することができる。さらに、幾つかの実装においては、ＲＵＭは、不利な状況にある受信ノードがクリアされることを希望する特定の資源を示すことができる。
【００６９】
ブロック９０８よって表されるように、受信ノードは、制御チャネルを介してＲＵＭを送信する。図６の例においては、ＲＵＭ生成器６１６は、上記のＲＵＭ関連情報を生成することができる。従って、制御メッセージ生成器６０６は、制御チャネルを通じてＲＵＭを送信する上で送信機６２０と協力することができる。
【００７０】
図７においてブロック７０８によって表されるように、送信ノードは、送信制限状態、及びオプションとして、受信されたＲＵＭに基づいて送信要求を出すべきかどうか及びどのようにして出すかを決定する。幾つかの側面においては、要求は、送信ノードが関連づけられた受信ノード（又は複数のノード）に送信すべきデータを有することを示す。さらに、要求は、送信ノードがデータを送信するのを妨げる進行中の送信が存在しないことを示す働きをすることもできる。
【００７１】
ブロック７０６において、近隣ノードがＲＵＭを送信していることが決定された場合は、送信ノードは、適切な応答を決定するために、ＲＵＭの受信、その重み、及びＲＵＭに含まれるその他の情報を利用することができる。例えば、送信ノードは、自己の将来の送信を制限することができ、又は、例えば関連づけられた受信ノードがその他のいずれの近隣の受信ノードよりも不利な状況にあることを示すＲＵＭをその関連づけられた受信ノードから受け取っている場合はＲＵＭを無視することができる。
【００７２】
図９Ｂに関して、ブロック９１０において、送信ノード５００のＲＵＭプロセッサ５３２は、近隣の受信ノードが送信ノードと関連づけられた受信ノードよりも不利な状況にあることを受信されたＲＵＭが示すかどうかを決定する。暫定的な措置として、ブロック９１２において、干渉決定器５２８は、（上述されるように）送信ノードの送信さえも不利な状況にある受信ノードと干渉することになるかどうかを決定することができる。この決定は、例えば、受信されたＲＵＭと関連づけられた受信電力情報（例えば、パイロット信号のＲＳＳＩ）を該当するしきいレベルと比較することを含むことができる。送信中に使用すべき送信電力が十分に低いこと又は希望される送信のその他のパラメータ（例えば、送信時間）が不利な状況にある受信ノードにおいて過度な干渉を引き起こすことにならないということが決定された場合は、送信ノードは、受信されたＲＵＭを無視することができる。
【００７３】
ブロック９１４において、希望される送信が不利な状況にある受信ノードにおける受信と干渉するおそれがあることを送信ノードが決定した場合は、送信ノード５００は、該干渉を回避するための適切な措置を講じる（例えば、異なる送信パラメータを定義する）ことができる。例えば、送信ノード５００（例えば、送信コントローラ５１４）は、送信要求の送信を遅らせる、関連づけられた受信ノードの資源利用メッセージが受信された資源利用メッセージよりも高い不利度（a higher degree of disadvantage）を示すまで要求メッセージの送信を控える、のちの時点における送信を要求する要求を送信する、ノードが要求メッセージを送信するレートを変更する（例えば、下げる）、送信期間（例えば、ＴＸＯＰ）の長さを変更する（例えば、短くする）、異なる（例えば、低下された）電力レベルで送信する要求を送信する、送信電力デルタを変更する（例えば、小さくする）、ノードによる送信が近隣ノードにおける受信と干渉する可能性がある度合いに関連する一組の規則（例えば、１つ以上の規則５３０）を修正する、又はその他の何らかの適切な措置を講じる、のうちの１つ以上を実行することができる。
【００７４】
送信ノードは、送信ノードと関連づけられた受信ノードがその他のノードよりも不利な状況にあることを受信されたＲＵＭが示すときには相互的な動作を行うことができる。例えば、この場合は、送信ノードは、要求を送信するレートを上げる、ＴＸＯＰの長さを長くする、等を行うことができる。
【００７５】
上述されるように、送信ノードは、現在の状態に基づいて要求を制限することもできる。図５の例においては、干渉決定器５２８は、送信制限状態レコード５１２を用いて、希望される送信が送信ノードの相対的に近くに所在するノードにおけるスケジューリングされたデータ受信と干渉するかどうかを決定することができる。該決定は、例えば、所定の送信レート、コーディング方式、又はその他の条件に関する受入可能な干渉レベルに関連するマージンを定義することができる１つ以上の干渉規則５３０に基づいて行うこともできる。一例として、受信された許可のＲＳＳＩ及び受信マージン情報に基づき、ノードは、重なり合う送信を要求すべきかどうか、そして要求すべきである場合はスケジューリングされた送信との潜在的な干渉を制限するために送信電力をどのようにして選択すべきかを決定することができる。希望される送信は１つ以上の近隣ノードにおける受信と過度に干渉する可能性があると干渉決定器５２８が決定した場合は、送信ノード５００は、送信要求メッセージの送信を控える、送信要求の送信を遅らせる、のちの時点における送信を要求する要求を送信する、低下された電力レベルで送信する要求を送信する、送信期間（例えば、ＴＸＯＰ）を調整する、又はその他の適切な手段を講じることを選択することができる。例えば、送信ノードがより低い電力レベルで送信することを選択した場合でも、送信ノードは、パケット当たり同じビット数を送信するのを希望することができる。この場合は、送信ノードは、より長いＴＸＯＰを指定することができる。
【００７６】
データ送信要求を出すべきかどうかに関して上述される等の技法は、制御チャネルを介して送信すべきかどうかを決定するために用いることもできる。例えば、ノードが制御チャネルを通じて送信するために相対的に過度の電力量を用いる場合は、そのノードによる制御情報の送信は、近隣ノードにおけるデータの受信と干渉する可能性がある。特に、この干渉は、データ受信ノードと関連づけられているデータ送信ノードが、制御チャネルを通じて送信中のノードよりも、データ受信ノードから遠くに所在するときに発生する可能性がある。該干渉は、制御情報の送信及びデータの受信と関連づけられた周波数が相対的に近いときにも発生する可能性がある。後者の一例として、図３に関して、データチャネルのうちの使用中の部分（例えば、サブチャネル３０６Ｄ）の周波数帯域は、周波数の点で制御チャネルのうちの使用中の部分（例えば、サブチャネル３０４Ｄ）の周波数帯域に相対的に近いことができる。上記の遠近問題に対処することに関連する動作が以下において図１０と関係させてさらに詳細に説明される。一定の事例においては、ノードによる送信は、受信機におけるパケットの飽和状態及び損失（受信機のジャミングとも呼ばれる）を引き起こしている直近の近隣に所在する受信機の感度を低下させる可能性がある。このことは、送信が受信から周波数分離されている場合でも生じる。制御チャネルにおいて送信すべかどうかを近隣に所在する受信機の感度を低下させる尤度に基づいて決定することは、送信制限状態処理の一環でもある。
【００７７】
ブロック１００２によって表されるように、制御チャネルを通じて送信することを希望するノードは、近隣の受信ノードが何らかの要求される送信をスケジューリングしている（例えば、許可している）かどうかを示す情報の有無に関して制御チャネルをモニタリングする。従って、ブロック１００４において、ノードは、本明細書において説明されるように状態レコード（例えば、送信制限状態）を定義する。
【００７８】
ブロック１００６において、ノードは、いずれかの時点において、制御チャネルを通じて送信するのを希望することを決定することができる。この場合は、ノードは、送信制限状態情報及び意図される制御チャネル送信と関連づけられた送信パラメータを利用して、希望される送信が近隣での受信と干渉するかどうか又は近隣受信機の感度を低下させるかどうかを決定することができる。この決定は、本明細書においてその他の同様の動作に関して説明されるのと類似の形で、希望される送信をスケジューリングすべきかどうか及びどのようにスケジューリングすべきかを決定することを含むことができる。例えば、幾つかの実装においては、送信を進める、送信を遅らせる、又は送信と関連づけられた幾つかのパラメータを変更するための決定を行うことができる（ブロック１００８）。
【００７９】
幾つかの実装においては、制御メッセージを送信するために用いるべき送信電力は、干渉の回避を目的として調整することができない。例えば、幾つかの事例においては、（本明細書において説明されるように）制御メッセージを受信するノードが制御メッセージの受信された電力レベルに基づいて干渉回避決定を行うのを可能にするために一定の電力レベルとともに送信されるようにすることが望ましい。従って、これらの事例においては、干渉回避は、送信のタイミング又は送信電力に影響を及ぼさないその他の何らかのパラメータを調整することを含むことができる。制御チャネルメッセージの送信を再スケジューリングする（例えば、のちの時点に送信する）ことによって干渉回避を避けることができない事例においては、制御チャネルとデータチャネルとの間における干渉は、上述されるガード帯域及び／又は拡大マージンの使用を通じて対処することができる。
【００８０】
ブロック１０１０において、ノードが近隣ノードにおけるデータ受信と過度の干渉を引き起こさずに制御チャネルを通じて送信できると決定した時点で、ノードは、制御チャネルに関して指定されたアクセス方式を呼び出すことができる。例えば、制御チャネルにおけるレーテンシーを回避するために、ノードは、１度に１つずつが制御チャネルにおいて送信することができる。幾つかの実装は、衝突回避を有する搬送波検知多元接続（“ＣＳＭＡ／ＣＡ”）等の干渉回避方式を採用することができる。この方法により、ＦＤＭ制御チャネルにおける動作は、本質的には、チャネルの信号対雑音比のみによって制限することができる。幾つかの実装においては、データチャネルにおいて送信中のノードは、ＮＡＶ設定を維持するために制御チャネルをリッスンする（ｌｉｓｔｅｎ）ことができないため、保留又はＮＡＴ設定は許可されない。ノードが制御チャネルへのアクセスを入手した時点で、ノードは、本明細書において説明されるように制御チャネルを通じて制御メッセージを送信することができる（ブロック１０１２）。
【００８１】
図７のブロック７１０において、送信要求を出す決定が行われた場合は、制御メッセージ生成器５０６は、例えば、要求された開始時間と終了時間又は希望される送信に関連して本明細書において説明されるその他のパラメータを含む該当する要求メッセージ５３４を生成する。これで、送信機５２０は、制御チャネルを通じて要求を送信する。
【００８２】
再度図８に関して、受信ノードは、ブロック８０８において送信要求を受信する。ブロック８１０において、受信ノードは、要求された送信をスケジューリングすべきかどうか、及び送信をスケジューリングすべきである場合はどのようにスケジューリングすべきかを決定する。上述されるように、この決定は、要求のパラメータ及びレート予測状態に基づくことができる。
【００８３】
図６の例において、持続可能受信決定器６３２は、レート予測状態レコード６１２を用いて、受信ノードの近くに所在するノードによるスケジューリングされた送信に鑑みて（例えば、異なるパラメータを選択することによって）受信ノード６００における持続可能なデータ受信を維持することが可能であるかどうかを決定する。例えば、ノードは、受信された確認メッセージのＲＳＳＩ及び送信電力デルタ情報に基づき、予想される干渉レベルを決定し、それによりスケジュール（ｓｃｈｅｄｕｌｅ）送信に関する持続可能なレートを決定することができる。予想される干渉が過度である場合は、受信ノードは、単に送信要求に応答しないようすることができる。この場合は、送信ノードは、送信を断念してのちの時点において要求を試行することができる。
【００８４】
重なり合う送信をスケジューリングすべきかどうかを決定時には様々な要因を考慮に入れることができる。例えば、該決定は、直近の許可の信号強度を考慮に入れることができる。追加の考慮事項は、許可送信元が、不利度が相対的に高いことを示すＲＵＭを最近送信したかどうかであることができる。さらに、送信する必要があるデータ量を、重なり合う送信をスケジューリングすべきかどうかに関する決定の中に組み入れることができる。例えば、送信すべきデータ量が相対的に少ない場合は、データは、送信の重なり合いを容易にするために低電力で及びより長い期間で送信することができる。
【００８５】
受信ノードが送信をスケジューリングすることを選択した場合は、送信パラメータ定義器構成要素６３４は、スケジューリングされた送信の有効な受信を容易にするために１つ以上の送信パラメータ６１０を定義する（例えば、異なるパラメータを選択する）ことができる。例えば、送信パラメータ６１０は、送信開始時間、送信終了時間、送信期間、時間セグメント定義、送信電力、送信すべき冗長性ビット数、受信マージン、Ｃ／Ｉ、又は送信中に用いることができるか又は１つ以上の送信パラメータを定義するために用いることができるコードレートのうちの１つ以上を含むことができる。
【００８６】
ブロック８１２において、制御メッセージ生成器６０６は、割り当てられたＴＸＯＰ期間、送信のための指定帯域幅、レート割り当て、及び本明細書において説明されるその他のあらゆる許可関連パラメータに関連する情報を含む許可メッセージ６３６を生成する。これで、送信機６２０は、制御チャネルを介して許可を送信する。
【００８７】
図７のブロック７１２において、受信機５１８（図５）は、制御チャネルを介して許可を受信する。上述されるように、ＲＳＳＩ測定器５２４は、受信された許可メッセージと関連づけられた信号強度又はその他の電力関連パラメータを測定することができる。
【００８８】
ブロック７１４において、制御メッセージプロセッサ５０４は、送信パラメータ関連情報を許可メッセージから抽出する。さらに、送信パラメータ定義器５３６は、必要に応じて、許可によって直接提供されなかった送信パラメータを決定することができる。上述されるように、送信ノード５００は、送信コントローラ５１４及び制御メッセージ生成器５０６によって引き続き使用するために送信パラメータ５１０をデータメモリ内において維持することができる。
【００８９】
ブロック７１６において、制御メッセージ生成器５０６は、（例えば、受信された許可に応じて）確認５３８を生成する。一般的には、確認５３８の送信は、データチャネルでのデータの送信の直前を先行する。
【００９０】
幾つかの実装においては、確認は、本明細書において説明されるようにスケジューリングされた情報に関連する情報を含むことができる。例えば、確認５３８は、送信開始時間と、送信終了時間と、例えばパケットフォーマッタ５４０によって提供されるパケットフォーマット及び一連番号情報と、送信電力デルタ情報５４２と、を含むことができる。送信機５２０は、制御チャネルを介して（例えば、パイロット信号と関係させて）確認メッセージを送信する。
【００９１】
図８においてブロック８１４によって表されるように、受信ノード及び送信ノードの付近に所在するその他のノードが確認を受信する。ここで、これらのその他のノードは、確認に基づいて自己の状態情報を更新することができる。関連づけられた受信ノードに関して、確認は、（例えば、ＨＡＲＱに関する）選択された送信モード及びパケットフォーマットを示す。幾つかの実装においては、パケットフォーマット表示は、確認メッセージ内において明示でではなくインバンドで（又は暗黙に）提供することができる。
【００９２】
典型的実装においては、ブロック８１２において出される許可は、送信ノードが許可を受信した直後にＴＸＯＰを開始できることを明記する。しかしながら、幾つかの事例においては、許可は、ＴＸＯＰに関する遅れた開始時間を示すことができる。ＴＸＯＰがのちの時点において開始する場合は、送信ノード及び受信ノードは、これらのノードに関する更新された状態情報を提供するために肯定応答／確認交換（図７及び８に示されていない）を呼び出すことによって実際のデータ交換を開始することができる。
【００９３】
図７のブロック７１８によって表されるように、送信ノード５００は、スケジューリングされたＴＸＯＰ期間中にデータチャネルを介してデータを送信する。ここで、ＴＸＯＰがセグメント化されていない場合は、送信ノード５００は、ＴＸＯＰ全体に関するデータを送信する（ブロック７２０）。その他の場合は、後述されるように、送信ノードは、セグメントでデータを送信する。送信ノード５００は、該当する送信時間、送信レート、コードレート、等を決定するために現在の送信パラメータ５１０及び送信電力デルタ５４２を用いてデータを送信する。送信されたデータは、図８のブロック８１６によって表されるように受信ノード６００によってデータチャネルを介して受信される。ＴＸＯＰがセグメント化されない場合は、受信ノード６００は、ＴＸＯＰ全体に関するデータを受信する（ブロック８１８及び８２０）。その他の場合は、後述されるように、受信ノードは、セグメントでデータを受信する。
【００９４】
図１１及び１２は、近隣ノードのスケジューリングされた送信に鑑みて送信をどのようにスケジューリングすることができるかについての２つの例を示す。図１１において、ノードＡが、ノードＢによって許可された要求（ＲＥＱ−Ａ）を出した。ノードＢからの許可（ＧＮＴ−Ｂ）は、線１１０２及び１１０４によってそれぞれ表されるようにＴＸＯＰに関する開始時間及び終了時間を定義した。確認メッセージ（ＣＮＦ−Ａ）の送信時点において、ノードＡが、ノードＡによって使用中のデータチャネルと関連づけられた図１１の陰影付き部分によって表されるデータの送信を開始した。
【００９５】
のちの時点において、ノードＣは、ノードＤによって許可された要求（ＲＥＱ−Ｃ）を出す。この場合は、ノードＤは、ノードＡに関するスケジューリングされた送信と重なり合うのを回避することを選択した。本明細書において説明されるように、この選択は、ノードＡからの送信がノードＤにおけるデータ受信と過度に干渉しないとする決定に基づいて行うことができる。従って、ノードＤからの許可（ＧＮＴ−Ｄ）は、線１１０６及び１１０８によってそれぞれ表されるようにこのＴＸＯＰに関する開始時間及び終了時間を定義した。ノードＣは、自己の確認メッセージ（ＣＮＦ−Ｃ）が送信された時点で、ノードＣによって使用中のデータチャネルと関連づけられた図１１の陰影付き部分によって表されるように指定時間においてデータの送信を開始した。
【００９６】
図１２において、ノードＡは、ノードＢによって許可された要求（ＲＥＱ−Ａ）を再度出した。ノードＢからのこの許可（ＧＮＴ−Ｂ）は、線１２０２及び１２０４によってそれぞれ表されるようにＴＸＯＰに関する開始時間及び終了時間を定義した。ノードＡは、自己の確認メッセージ（ＣＮＦ−Ａ）を送信後に、ノードＡによって使用中のデータチャネルと関連づけられた図１１の陰影付きの部分によって表されるようにデータを送信した。
【００９７】
繰り返すと、ノードＣは、ノードＤによって許可された要求（ＲＥＱ−Ｃ）を出す。しかしながら、この場合においては、ノードＤは、ノードＤ向けの送信をノードＡに関するスケジューリングされた送信と重なり合わせることを選択した。ここで、ノードＤからの許可（ＧＮＴ−Ｄ）は、線１２０６及び１２０８によってそれぞれ表されるようにこのＴＸＯＰに関する開始時間及び終了時間を定義した。従って、図１１の網状の陰影付き部分によって表されるように、データチャネルは、ノードＡ及びＣの両方によって同時並行して用いることができる。ここで、この技法は、通信媒体（例えば、チャネル）がその他の送信から解放されているときに送信機がその通信媒体のみを用いるメディアアクセス制御方式と比較してより高い空間再利用効率を提供するのに役立つことができる。
【００９８】
再度図７及び８のブロック７２０及び８１８に関して、幾つかの実装においては、所定のＴＸＯＰは、幾つかの送信時間セグメント（例えば、図４の時間セグメント４２４Ａ及び４２４Ｂ）を定義することができる。幾つかの事例においては、ＴＸＯＰ全体を通じて必要に応じて状態を維持し、送信パラメータを更新するために肯定応答メッセージ及び確認メッセージを採用する２方向交換を用いることができる。
【００９９】
ブロック７２２及び７２４において、送信ノードが所定のセグメントを送信後に、そのノードは、定義されたセグメント間の時間的間隔の少なくとも一部分中に制御チャネルをモニタリングすることができる。例えば、この間隔（例えば、図４における間隔４２６）中において、送信ノードは、直近に送信されたセグメントの受信について肯定応答する関連づけられた受信ノードから肯定応答を受信することができる。さらに、送信ノードは、本明細書において説明されるように送信ノードの状態レコード（例えば、送信制限状態及びレート予測状態）を更新するために用いることができるその他の制御情報をこの間隔中に受信することができる。さらに、送信ノードは、送信を終了させることができることの表示を受信ノードから受信することができる。
【０１００】
図８のブロック８２２によって表されるように、受信ノードは、各セグメントを受信し、必要に応じて対応するデータを復号する。ブロック８２４において、受信ノードがＴＸＯＰ（例えば、パケット全体）中に送信すべき全データを成功裏に復号している場合は、受信ノードは、送信が終了していることを示す送信ノードに送信すべき制御情報を定義することができる。１つ以上のセグメントが送信するためにスケジューリングされた状態であるにもかかわらずパケットが成功裏に復号されている場合は、この制御情報は、例えば、ＴＸＯＰの継続時間を調整すべきである（例えば、短くする）こと又は１つ以上の着信する時間セグメントを排除すべきである（例えば、ＴＸＯＰ内の時間セグメント数を調整する）ことを示すことができる。
【０１０１】
ブロック８２６によって表されるように、送信ノード６００の受信コントローラ６１４は、ブロック８１２における許可の時間以降に受信されている制御情報に基づいて（例えば、現在のレート予測状態に基づいて）後続するセグメントに関する１つ以上の送信パラメータを調整すべきかどうかを決定することができる。ここで、受信コントローラ６１４は、後続するセグメントのうちの１つ以上と同じ時間に行われる送信を他の無線ノードが最近スケジューリングしている場合に１つ以上の送信パラメータを調整するのを選択することができる。該調整は、例えば、送信レートを下げること、コードレートを変更すること、送信時間を調整すること、又は残っているセグメントのうちの１つ以上に関するその他の何らかのパラメータを修正することを含むことができる。
【０１０２】
本明細書において説明される干渉回避技法に起因して、進行中のスケジューリングされた送信（ＴＸＯＰ）と関連づけられた受信されたＣ／Ｉは、ＴＸＯＰ中は有意な量だけ変化できないことが明確に理解されるべきである。例えば、他のスケジューリングされた送信と同時の送信要求は、要求された送信が前にスケジューリングされた送信と過度に干渉することになると決定された場合はスケジューリングすること（例えば、許可すること）ができない。従って、ノードは、通信チャネルの状態は所定のＴＸＯＰ期間中は有意な量の変化をすることができないと想定できるため、受信ノードは、自己のスケジューリングされた送信に関する送信レート及びコーディングレートを積極的に選択することができる。
【０１０３】
ブロック８３０によって表されるように、制御メッセージ生成器６０６は、セグメント（例えば、セグメント４２４Ａ）の受信について肯定応答する肯定応答６３８を生成することができる。ここで、進行中の送信の各セグメントに関するフィードバックを提供するために異なる肯定応答を用いることができる。さらに、肯定応答６３８は、ブロック８１２において許可６３６によって又は許可６３６と関係させて送信され、ブロック８２６からの１つ以上の調整された送信パラメータに関する情報を含めるように必要に応じて修正された同様の情報を含めること又は同様の情報と関連づけることができる。換言すると、肯定応答は、更新された資源割り当て及びレートフィードバック情報を提供し、近隣ノードが近隣におけるスケジューリングされた受信に関する状態を更新するために用いることができる中間の“残りの許可”として働くことができる。従って、肯定応答６３８は、時間セグメントのうちの少なくとも１つに関する送信開始時間、時間セグメントのうちの少なくとも１つに関する送信終了時間、時間セグメントのうちの少なくとも１つに関する送信期間、時間セグメントのうちの少なくとも１つに関する送信電力、時間セグメントのうちの少なくとも１つに関する送信すべき冗長性ビット数、時間セグメントのうちの少なくとも１つに関するコードレート、時間セグメントのうちの少なくとも１つに関する予想されるチャネル対干渉比、受信マージン、及びパイロット信号、のうちの少なくとも１つを備えることができる。
【０１０４】
再度図７に関して、ブロック７２６において、送信コントローラ５１４は、セグメント間の間隔中に受信した制御情報に基づいて、送信パラメータを必要に応じて調整する。上述されるように、この調整は、関連づけられた受信ノードからの肯定応答を介して受信された情報に基づくか又はその他の近隣ノードから受信された情報（例えば、許可又はその他の肯定応答）に基づくことができる。
【０１０５】
ブロック７２８によって表されるように、幾つかの実装においては、制御メッセージ生成器５０６は、後続する時間セグメント（例えば、時間セグメント４２４Ｂ）中に送信に関して用いられる送信パラメータを又は送信が完了していることを近隣ノードに知らせるために（例えば、ブロック７１６において送信された確認メッセージと同様の）他の形態の確認メッセージを生成する。従って、この確認メッセージは、確認５３８に含まれている情報と同様の情報を含むことができる。しかしながら、この場合においては、確認情報は、変更された送信パラメータに基づく適宜の調整を含むことができ、送信されるべき残りのセグメントに関連する該当するタイミングパラメータを含む。従って、ブロック７２８において送信された確認は、例えば、時間セグメントのうちの少なくとも１つに関する送信開始時間と、時間セグメントのうちの少なくとも１つに関する送信終了時間と、時間セグメントのうちの少なくとも１つに関する送信期間と、送信電力デルタと、パケットフォーマットと、パイロット信号と、を備えることができる。
【０１０６】
再度図８に関して、ブロック８３２によって表されるように、受信ノードは、セグメント間の間隔中に及び受信ノードが送信されたセグメントに関するデータチャネルをモニタリング中に制御情報の有無に関して制御チャネルをモニタリングし続ける。従って、受信ノードは、現在のＴＸＯＰに関する送信パラメータを必要に応じて調整し続けることができるように自己の状態を更新し続ける。
【０１０７】
図７のブロック７３０及び図８のブロック８２６によって表されるように、上記の動作は、各々の後続して送信されたセグメントに関して繰り返される。図８のブロック８３６によって表されるように、（例えば、ＴＸＯＰ期間の終了時に）全セグメントが送信された後において、受信ノード６００を備えるノードは、必要に応じて送信制限状態とレート予測状態を更新すること及び送信要求を処理又は開始することを目的として制御チャネルのモニタリングを継続する。
【０１０８】
再度図７に関して、ＴＸＯＰ期間終了時において、送信ノードは、受信された制御メッセージ、例えば許可、確認、肯定応答、及びＲＵＭ、に基づいて自己の状態レコードを更新又は再取得できるように定義された期間にわたって制御チャネルをモニタリングする（ブロック７３２）。図１１及び１２は、各スケジューリングされた送信に引き続いて定義される該状態更新期間（例えば、ＴＸＯＰ後のモニター期間）の例を示す。ここで、ノードＡ（ＳＴＵ−Ａ）に関する状態更新は、線１１０４及び１２０４によって表されるようにノードＡに関するＴＸＯＰの終了の直後に続くことができる。同様に、ノードＣ（ＳＴＵ−Ｃ）に関する状態更新は、線１１０８及び１２０８によって表されるようにノードＣに関するＴＸＯＰの終了の直後に続くことができる。
【０１０９】
図４と関係させて上述されるように、この時点において受信された制御情報（例えば、メッセージ交換メッセージ及びＲＵＭ）は、送信ノード５００のＴＸＯＰ期間に留意にして又は無関係に送信に関してスケジューリングされる情報を含むことができる。前事例の２つの例が図１３と関係させて説明される。図１３は、ＴＸＯＰ期間の終了時において、近隣ノードがデータを送信中であったときに前に送信された情報を再送信するシナリオに関するものである。図１３Ｂは、自己の制御情報が近隣ノードによって確実に受信されるようにするためにその近隣ノードのＴＸＯＰ期間が終了するまで制御情報の送信を意図的に遅らせることができる。
【０１１０】
最初に図１３Ａに関して、ブロック１３０２によって表されるように、所定のノードは、本明細書において説明されるようにその他のノードによって送信された情報の有無に関して制御チャネルをモニタリングすることによって自己の状態を維持する。この方法により、ノードは、近隣の送信ノードのスケジューリングされたＴＸＯＰ期間に関する情報を取得することができる。
【０１１１】
ブロック１３０４によって表されるように、（例えば本明細書において説明される）ある時点において、ノードは、制御チャネルを介して制御情報を送信することができる。この動作と関係させて、該ノードは、自己の近隣の送信ノードのうちのいずれかが、該ノードが制御チャネルを通じて自己の制御情報を送信するのと同時にデータチャネルを通じて通信中であるかどうかを決定することができる（ブロック１３０６）。この方法により、該ノードは、１つ以上の近隣ノードが自己の制御情報を受信していないことを決定することができる。
【０１１２】
従って、ブロック１３０８において、ノードは、最初の制御メッセージを受信していなかったことになる近隣ノードの各々のＴＸＯＰ期間の終了後に他の制御メッセージを送信することができる。ここで、“再送信された”制御メッセージは、最初の制御メッセージにおいて以前に送信された情報を繰り返すことができる。この方法により、ノードは、自己の近隣ノードが送信要求を出すべきかどうか又は要求された送信を許可すべきかどうかを決定するときに自己のスケジューリングされた送信を確実に考慮に入れるようにすることができる。
【０１１３】
今度は図１３に関して、ブロック１３１２によって表されるように、ノードは、その他のノードによって送信された情報の有無に関して制御チャネルをモニタリングすることによって状態を維持する。従って、ノードは、近隣の送信ノードのスケジューリングされたＴＸＯＰ期間に関する情報を取得することができる。
【０１１４】
ブロック１３１４によって表されるように、（例えば本明細書において説明される）ある時点において、ノードは、制御チャネルを介して制御情報を送信する必要があることを決定することができる。しかしながら、ノードが制御情報を送信する前に、ノードは、自己の近隣ノードのうちのいずれかが、ノードが制御チャネルを通じて自己の制御情報を送信する意図であるのと同じ時間にデータチャネルを通じて送信するスケジュールであるかどうかを決定することができる。この事例においては、ノード（例えば、送信コントローラ５１４又は受信コントローラ６１４）は、自己の近隣ノードが送信すべき制御情報を受信できるように自己の制御情報の送信をスケジューリングする（例えば、遅らせる）ことができる（ブロック１３１６）。
【０１１５】
ブロック１３１８によって表されるように、ノードは、自己の近隣ノードの各々のＴＸＯＰ期間の終了後において、遅らされた制御情報を送信する。繰り返すと、ノードは、それにより、自己の近隣ノードが送信要求を出すべきかどうか又は要求された送信を許可すべきかどうかを決定するときに自己のスケジューリングされた送信を確実に考慮に入れるようにすることができる。
【０１１６】
再度図７に関して、送信ノード５００を含むノードがこの制御情報を受信した時点で、ノードは、将来の送信要求の呼び出しと関係させて又はその他のノードからの送信要求の許可と関係させて用いるために状態レコードを更新又は再取得する（ブロック７３４）。ブロック７３６によって表されるように、ノードは、状態を更新するか又は送信要求に対処するために制御チャネルをモニタリングし続けることができ、又はその他の未送信状態のデータを送信する追加要求を呼び出すことができる。
【０１１７】
本明細書において説明される制御メッセージ交換方式は、様々な方法で実装することができる。例えば、幾つかの実装においては、制御チャネル上において異なる型のメッセージにより高い又はより低い優先度を与えることができる。一例として、肯定応答関連の交換は、進行中のＴＸＯＰの只中において発生するため、（より短いＩＦＳを用いる）要求メッセージよりも高い優先度を肯定応答メッセージに与えることができる。この優先順位設定方式は、ＴＸＯＰ中におけるデータ帯域幅の不要な浪費を回避することができる。
【０１１８】
幾つかの実装においては、ＲＵＭは、肯定応答されないブロードキャスト送信であることができる。さらに、ＲＵＭは、要求及び肯定応答と比較して最低のアクセス優先度を割り当てることができる。さらに、幾つかの実装においては、進行中のＴＸＯＰは、ＲＵＭによって終了させることができない。
【０１１９】
幾つかの実装においては、公平性は、その他の何らかの時間量のＴＸＯＰの最大長に対応するタイムスケールで実装することができる。例えば、不利な状況にあるノードは、自己のＲＵＭが定義された期間（例えば、自己のＴＸＯＰをスケジューリングする上で十分な時間量）の間有効であることを規定することができる。幾つかの実装においては、この定義された期間は、ＲＵＭ内に含めることができる。逆に、幾つかの実装においては、ＲＵＭを受信するノードは、受信するＲＵＭが定義された期間の間考慮に入れられるように規定することができる。例えば、該ノードは、特定のノードからＲＵＭＳを受信している場合は、送信又は送信要求を制限することができる時間枠を定義することができる。上記の定義された期間は、システム内における現在の状態に依存して動的に変更できることが明確に理解されるべきである。
【０１２０】
幾つかの実装においては、未送信状態のデータを有する送信ノードが現在の送信制限状態に起因して要求を送信できない場合は、送信ノードは、（例えば、送信制限されたビットセットを有する要求メッセージを用いて）未送信状態の表示を関連づけられた受信ノードに送信することができる。この事例においては、受信ノードは、送信を断念するように近隣の送信ノードに対して指示するためのＲＵＭ機構を用いることができる。
【０１２１】
幾つかの実装においては、メッセージ交換方式と関連するオーバーヘッドは、要求及び許可を取り除くことによって低下させることができる。例えば、相対的に短いパケットの送信に関しては、送信機は、現在の送信制限状態によって送信が許可されているとみなして、単に制御チャネルにおいて確認を送信し、次にデータチャネルにおいてデータを送信することによってメッセージ交換を開始することができる。ここで、確認は、次の送信が来ることを近隣ノードに知らせる。一般的には、該データパケットの長さは、短いことができる。例えば、幾つかの実装においては、該データパケットの長さは、所定の時間セグメント（例えば、時間セグメント４２４Ａ）の長さよりも短い。ここで、受信ノードにおけるＣ／Ｉレートは知っていることができないため、送信ノードは、送信電力、送信レート、又はコーディングレートのうちの１つ以上に関して控えめな値を選択することができる。
【０１２２】
データを送信後は、送信ノードは、関連づけられた受信ノードからの肯定応答を待つ。肯定応答が受信されない場合は、送信ノードは、送信を断念し、簡略化された確認−肯定応答交換を用いて送信を再試行することができる。代替として、送信ノードは、送信を断念し、完全な要求−許可−確認交換を用いて送信を再試行することができる。
【０１２３】
代替として、受信ノードにおける現在の干渉状況がデータを信頼できる形で受信できることを示すときにいつでも受信ノードが許可を送信する非要請許可方式を採用することができる。この事例においては、非要請許可を受信する送信ノードは、現在の送信制限状態によって課せられる制限に従って送信電力を選択することができる。
【０１２４】
本明細書において説明されるような制御メッセージの動作及び内容は、要求を出すデバイスの型に依存できることが明確に理解されるべきである。例えば、アクセスポイント及びアクセス端末を備える一対の関連づけられたノードが順方向リンク（すなわち、アクセスポイントからアクセス端末へのデータの流れ）を確立している実装においては、アクセスポイントによって行われる要求は、許可と関係させて上述されている１つ以上のパラメータを含むことができる。例えば、この要求は、アクセスポイントが何を送信したいか及びアクセスポイントがどのようにして送信したいかに関する情報を備えることができ、例えば、指定されたＴＸＯＰ期間、送信すべきデータ量、使用すべき周波数資源、例えば指定された帯域幅、等を含む。この事例においては、アクセス端末は、要求に応じて、要求を受け入れさらに例えばサポートされる送信レートに関する情報を含むメッセージ（例えば、“許可”）を単にアクセスポイントに送信するだけでよく、アクセスポイントはそれに基づいてこの応答の受信を確認する。この事例においては、アクセス端末によって生成された応答は、一般的意味においては、アクセスポイントによる要求を実際に“許可する”ことはできない。
【０１２５】
“遠近”問題に対処するために様々な備えを設けることができる。上述されるように、遠近問題は、（例えば、関連づけられた送信ノードが干渉中の送信ノードよりも遠くに所在する受信ノードと送信ノードが干渉中であるときに）ノード間干渉を含むことがある。制御チャネルにおける送信に起因する遠近問題に関する解決策の一例が、図１０と関係させて上述されている。
【０１２６】
相互的遠近問題は、他のノードによる制御メッセージの受信と干渉中のデータ送信ノードに関する。換言すると、ノードは、近くに強力なデータ送信ノードが存在する場合に制御チャネルを聞こえなくなる可能性がある。しかしながら、この問題は、影響を受けているノード自体が送信中であり従って制御チャネルメッセージを受信中でない事例と類似することが明確に理解されるべきである。従って、影響を受けているノードは、干渉中の送信ノードの静かなＴＸＯＰ後のモニター期間中に自己の状態を更新することができる。
【０１２７】
データチャネルにおける遠近問題に対処するために本明細書において説明される同様の技法を用いることができる。例えば、データチャネルがＯＦＤＭＡを利用するときには、受信ノードにおけるデータ受信に影響を及ぼす漏れ干渉が結果的に発生することになるその他のデータ送信が存在する可能性がある。本明細書において要求−許可−確認交換及び肯定応答−確認交換と関連させて説明される干渉管理方法は、重なり合うＯＦＤＭＡ送信に関するこのデータ受信遠近問題に対処するために適用することもできる。これらのしきい値は、送信制限状態及びレート予測状態に対して適用される干渉管理しきい値と同様に、ＯＦＤＭＡホップ間ポート干渉（ｉｎｔｅｒ−ｈｏｐ−ｐｏｒｔ  ｉｎｔｅｒｆｅｒｅｎｃｅ）に関して拡大させることができる。さらに、ノード（例えば、アクセスポイント）が複数の同時受信をスケジューリングしたときには、これらの受信は、アクセスポイントによる電力制御によって遠近問題を管理することができる。
【０１２８】
本明細書において教示されるように要求を出すべきか又は許可すべきかを決定するために様々な技法を採用することができる。例えば、幾つかの実装は、上述されるパラメータのうちの１つ以上と比較される１つ以上のしきい値を利用することができる。具体例として、送信をスケジューリングすべきかどうかの決定は、少なくとも１つのノードと関連づけられた推定チャネル利得及びスケジューリング中の送信に関する予想送信電力に基づく値としきい値を比較することに基づくことができる。最後に、干渉管理に関係のない、送信機と受信機との間における一定の制御情報を、制御チャネルとは対照的にデータチャネルにおいてデータとともに送信できることが注目されるべきである。このことは、制御チャネルはランダムアクセスの性質を有することに起因して利用を少なく抑えることが重要であるため、制御チャネルが可能な限り最小限に用いられるようにすることができる。一例として、確認メッセージの一定のパラメータ、例えば用いられる変調方法、送信中のデータビット数、バッファ内の残りのデータ、（送信機からの複数のフローが多重化されている場合における）フロー識別子、さらには幾つかの事例においてはコードレートを、インバンド制御のようにデータとともに送信することが可能である。
【０１２９】
本明細書における教示は、少なくとも１つのその他の無線デバイスと通信するために様々な構成要素を採用するデバイス内に組み入れることができる。図１４は、デバイス間での通信を容易にするために採用することができる幾つかの構成要素例を示す。ここで、第１のデバイス１４０２（例えば、アクセス端末）及び第２のデバイス１４０４（例えば、アクセスポイント）は、適切な媒体を通じて無線通信リンク１４０６を介して通信するように適合化される。
【０１３０】
最初に、デバイス１４０２からデバイス１４０４（例えば、逆方向リンク）に情報を送信することに関わる構成要素が取り扱われる。送信（“ＴＸ”）データプロセッサ１４０８は、データバッファ１４１０又はその他の何らかの適切な構成要素からトラフィックデータ（例えば、データパケット）を受信する。送信データプロセッサ１４０８は、選択されたコーディング及び変調方式に基づいて各データパケットを処理（例えば、符号化、インターリービング、及びシンボルマッピング）する。一般的には、データシンボルは、データに関する変調シンボルであり、パイロットシンボルは、（推測的に知られている）パイロットに関する変調シンボルである。変調器１４１２は、逆方向リンクに関するデータシンボル、パイロットシンボル、及び可能なことにシグナリングを受信し、変調（例えば、ＯＦＤＭ又はその他の何らかの適切な変調）及び／又はシステムによって指定されたその他の処理を実行し、出力チップのストリームを提供する。送信機（“ＴＭＴＲ”）１４１４は、出力チップストリームを処理（例えば、アナログへの変換、フィルタリング、増幅、周波数アップコンバージョン）し、変調された信号を生成し、次に、変調された信号がアンテナ１４１６から送信される。
【０１３１】
（デバイス１４０４と通信中のその他のデバイスからの信号とともに）デバイス１４０２によって送信された変調信号は、デバイス１４０４のアンテナ１４１８によって受信される。受信機（“ＲＣＶＲ”）１４２０は、アンテナ１４１８からの受信された信号を処理（例えば、コンディショニング及びデジタル化）し、受信されたサンプルを提供する。復調器（“ＤＥＭＯＤ”）１４２２は、受信されたサンプルを処理（例えば、復調及び検出）し、検出されたデータシンボルを提供し、検出されたデータシンボルは、その他のデバイスによってデバイス１４０４に送信されたデータシンボルの雑音推定であることができる。受信（“ＲＸ”）データプロセッサ１４２４は、検出されたデータシンボルを処理（例えば、シンボルデマッピング、デインターリービング、及び復号）し、各送信デバイス（例えば、デバイス１４０２）と関連づけられた復号されたデータを提供する。
【０１３２】
デバイス１４０４からデバイス１４０２（例えば、順方向リンク）に情報を送信することに関わる構成要素が次に取り扱われる。デバイス１４０４において、トラフィックデータが、送信（“ＴＸ”）データプロセッサ１４２６によって処理されてデータシンボルが生成される。変調器１４２８は、順方向リンクに関するデータシンボル、パイロットシンボル、及びシグナリングを受信し、変調（例えば、ＯＦＤＭ又はその他の適切な変調）及び／又はその他の関連する処理を行い、出力チップストリームを提供し、出力チップストリームは、送信機（“ＴＭＴＲ”）１４３０によってさらにコンディショニングされてアンテナ１４１８から送信される。幾つかの実装においては、順方向リンクに関するシグナリングは、電力制御コマンドと、逆方向リンクにおいてデバイス１４０４に送信中の全デバイス（例えば、端末）に関してコントローラ１４３２によって生成された（例えば、通信チャネルに関連する）その他の情報と、を含むことができる。
【０１３３】
デバイス１４０２において、デバイス１４０４によって送信された変調された信号は、アンテナ１４１６によって受信され、受信機（“ＲＣＶＲ”）１４３４によってコンディショニング及びデジタル化され、復調器（“ＤＥＭＯＤ”）１４３６によって処理されて検出されたデータシンボルが入手される。受信（“ＲＸ”）データプロセッサ１４３８は、検出されたデータシンボルを処理し、デバイス１４０２に関する復号されたデータ及び順方向リンクシグナリングを提供する。コントローラ１４４０は、逆方向リンクにおけるデバイス１４０４へのデータ送信を制御し及び送信電力を制御するための電力制御コマンド及びその他の情報を受信する。
【０１３４】
コントローラ１４４０及び１４３２は、デバイス１４０２及び１４０４の様々な動作をそれぞれ指示する。例えば、コントローラは、該当するフィルタを決定し、フィルタに関する情報を報告し、フィルタを用いて情報を復号することができる。データメモリ１４４２及び１４４４は、コントローラ１４４０及び１４３２によって用いられるプログラムコード及びデータをそれぞれ格納することができる。
【０１３５】
図１４は、通信構成要素が本明細書において教示されるように動作のうちの１つ以上を実行する１つ以上の構成要素を含むことができることも示す。例えば、メディアアクセス制御（“ＭＡＣ”）構成要素１４４６は、コントローラ１４４０及び／又はデバイス１４０２のその他の構成要素と協力し、本明細書において教示される非同期技法に従って他のデバイス（例えば、デバイス１４０４）にデータ及び制御情報を送信し、他のデバイス（例えば、デバイス１４０４）からデータ及び制御情報を受信することができる。同様に、ＭＡＣ構成要素１４４８は、コントローラ１４３２及び／又はデバイス１４０４のその他の構成要素と協力し、説明される非同期技法に従って他のデバイス（例えば、デバイス１４０２）にデータ及び制御情報を送信し、他のデバイス（例えば、デバイス１４０２）からデータ及び制御情報を受信することができる。
【０１３６】
本明細書における教示は、様々な装置（例えば、デバイス）内に組み入れる（例えば、実装する又は様々な装置（例えば、デバイス））によって実行する）ことができる。例えば、各ノードは、アクセスポイント（“ＡＰ”）、ノードＢ、無線ネットワークコントローラ（“ＲＮＣ”）、ｅＮｏｄｅＢ、基地局コントローラ（“ＢＳＣ”）、基本トランシーバ局（“ＢＴＳ”）、基地局（“ＢＳ”）、トランシーバ機能（“ＴＦ”）、無線ルーター、無線トランシーバ、基本サービスセット（“ＢＳＳ”）、拡大サービスセット（“ＥＳＳ”）、無線基地局（“ＲＢＳ”）、又はその他の何らかの用語として構成することができ、又はこれらの用語で呼ぶことができる。一定のノードは、加入者局と呼ばれることもある。加入者局は、加入者ユニット、移動局、遠隔局、遠隔端末、アクセス端末、ユーザー端末、ユーザーエージェント、ユーザーデバイス、又はユーザー装置と呼ぶこともできる。幾つかの実装においては、加入者局は、携帯電話、コードレスフォン、セッション開始プロトコル（“ＳＩＰ”）電話、ワイヤレスローカルループ（“ＷＬＬ”）局、パーソナルデジタルアシスタント（“ＰＤＡ”）、無線接続能力を有するハンドヘルドデバイス、又は無線モデムに接続されたその他の適切な処理デバイスを備えることができる。従って、本明細書において教示される１つ以上の側面は、電話（例えば、携帯電話又はスマートフォン）、コンピュータ（例えば、ラップトップ）、ポータブル通信デバイス、ポータブル計算デバイス（例えば、パーソナルデータアシスタント）、娯楽デバイス（例えば、音楽又は映像デバイス、又は衛星無線）、全地球測位システムデバイス、又は無線媒体を介して通信するように構成されるその他の適切なデバイス内に組み入れることができる。
【０１３７】
上述されるように、幾つかの側面においては、無線ノードは、通信システムに関するアクセスデバイス（例えば、セルラー又はＷｉ−Ｆｉアクセスポイント）を備えることができる。該アクセスデバイスは、例えば、有線又は無線の通信リンクを介してネットワーク（例えば、ワイドエリアネットワーク、例えばインターネット又はセルラーネットワーク）に関する又は該ネットワークへの接続性を提供することができる。従って、アクセスデバイスは、他のデバイス（例えば、Ｗｉ−Ｆｉ局）がネットワーク又はその他の何らかの機能にアクセスするのを可能にすることができる。
【０１３８】
無線ノードは、無線ノードによって送信又は受信されたデータに基づいて機能を実行する様々な構成要素を含むことができる。例えば、アクセスポイント又はアクセス端末は、信号（例えば、制御及びデータ）を送信及び受信するためのアンテナを含むことができる。アクセスポイントは、自己の受信機が複数の無線ノードから受信するか又は自己の送信機が複数の無線ノードに送信するデータトラフィックフローを管理するように構成されたトラフィックマネージャを含むこともできる。さらに、アクセス端末は、（例えば、スケジューリングされたデータ受信に基づいて）受信機によって受信されたデータに基づいて表示を出力するか又は送信機によって送信されるデータを提供するように構成されたユーザーインタフェースを含むことができる。
【０１３９】
無線デバイスは、適切な無線通信技術に基づいた又は適切な無線通信技術をサポートする１つ以上の無線通信リンクを介して通信することができる。例えば、幾つかの側面においては、無線デバイスは、ネットワークと関連づけることができるか又は２つ以上の無線デバイスがネットワークを形成することができる。幾つかの側面においては、ネットワークは、ローカルエリアネットワーク又はワイドエリアネットワークを備えることができる。無線デバイスは、様々な無線通信技術、プロトコル、又は基準、例えばＣＤＭＡ、ＴＤＭＡ、ＯＦＤＭ、ＯＦＤＭＡ、ＷｉＭＡＸ、及びＷｉ−Ｆｉ、のうちの１つ以上をサポートするか又はその他の形で使用することができる。同様に、無線デバイスは、様々な対応する変調又は多重化方式のうちの１つ以上をサポートするか又はその他の形で用いることができる。従って、無線デバイスは、上記の又はその他の無線通信技術を用いて１つ以上の無線通信リンクを確立して通信するための適切な構成要素（例えば、エアインタフェース）を含むことができる。例えば、無線デバイスは、無線媒体を通じての通信を容易にする様々な構成要素（例えば、信号生成器及び信号プロセッサ）を含むことができる関連づけられた送信機及び受信機の構成要素（例えば、送信機５２０と６２０及び受信機５１８と６１８）を有する無線トランシーバを備えることができる。
【０１４０】
本明細書において説明される構成要素は、様々な方法で実装することができる。図１５乃至１９に関して、幾つかの装置１５０２、１５０４、１６０２、１６０４、１７０２、１７０４、１８０２、１８０４、及び１９０２は、例えば１つ以上の集積回路（例えば、ＡＳＩＣ）によって実装された機能を表すことができるか又は本明細書において教示されるその他の方法で実装することができる一連の相互に関連する機能ブロックとして表される。本明細書において説明されるように、集積回路は、プロセッサ、ソフトウェア、その他の構成要素、又はその組合せを含むことができる。
【０１４１】
装置１５０２、１５０４、１６０２、１６０４、１７０２、１７０４、１８０２、１８０４、及び１９０２は、様々な図に関して上述される機能のうちの１つ以上を実行することができる１つ以上のモジュールを含むことができる。例えば、送信するためのＡＳＩＣ１５０６、１５２４、１６１８、１７１６、１８０６、１９０４、及び１９０８は、例えば、本明細書において説明される送信機に対応することができる。受信するためのＡＳＩＣ１５２２、１６０６、１６２０、１７０６、１８２０、１９０６、及び１９１４、又は１９１８、モニタリングするためのＡＳＩＣ１５０８又は１８０８、又は情報を入手するためのＡＳＩＣ１６２２又は１７１８は、例えば、本明細書において説明される受信機に対応することができる。状態を定義するためのＡＳＩＣ１５１２  １５２８  １６１０、１７１２  １８１０、又は１９１６は、例えば、本明細書において説明される状態コントローラに対応することができる。送信パラメータを調整するためＡＳＩＣ１５１０、送信パラメータを決定するためのＡＳＩＣ１５３０又は１９２２、制御情報を定義するためのＡＳＩＣ１５２６又は１８２４、情報を定義するためＡＳＩＣ１６１６又は１７１４は、例えば、本明細書において説明される送信パラメータ定義器に対応することができる。期間を定義するためのＡＳＩＣ１５１６又は１５３４は、例えば、本明細書において説明される送信パラメータ定義器に対応することができる。要求を出すためのＡＳＩＣ１５１４又は１９１２、要求を出すべきかどうかを決定するためのＡＳＩＣ１５１８、調整するためのＡＳＩＣ１５３６、送信を制限すべきかどうかを決定するためのＡＳＩＣ１６１２、要求を送信するのを控えるべきかどうかを決定するためのＡＳＩＣ１８１４、送信すべきかどうかを決定するためのＡＳＩＣ１６０８、１６２４、又は１９１０、又は要求を制限すべきかどうかを決定するためのＡＳＩＣ１９２０は、例えば、本明細書において説明される送信コントローラに対応することができる。干渉を決定するためのＡＳＩＣ１５２０、１６１４、又は１８１２は、例えば、本明細書において説明される干渉決定器に対応することができる。
【０１４２】
スケジューリングするためＡＳＩＣ１５３２、１８１６、又は１８２２、又はスケジュールを決定するためのＡＳＩＣ１７０８は、例えば、本明細書において説明される送信コントローラ又は受信コントローラに対応することができる。持続可能な受信を決定するためのＡＳＩＣ１６２４又１７１０、又は許可を送信するのを控えるべきかどうかを決定するためのＡＳＩＣ１８１８は、例えば、本明細書において説明される受信コントローラに対応することができる。
【０１４３】
上述されるように、幾つかの側面においては、これらの構成要素は、該当するプロセッサ構成要素を介して実装することができる。これらのプロセッサ構成要素は、幾つかの側面においては、少なくとも部分的には、本明細書において教示される構造を用いて実装することができる。幾つかの側面においては、プロセッサは、これらの構成要素のうちの１つ以上の構成要素の機能の一部分又は全体を実装するように適合化することができる。幾つかの側面においては、ダッシュ線付き四角形によって表される構成要素のうちの１つ以上はオプションである。
【０１４４】
上述されるように、装置１５０２、１５０４、１６０２、１６０４、１７０２、１７０４、１８０２、１８０４、及び１９０２は、１つ以上の集積回路を備えることができる。例えば、幾つかの側面においては、単一の集積回路は、例示される構成要素のうちの１つ以上の機能を実装することができ、その他の側面においては、２つ以上の集積回路が例示される構成要素のうちの１つ以上の構成要素の機能を実装することができる。
【０１４５】
さらに、図１５乃至１９によって表される構成要素及び機能、ならびに本明細書において説明されるその他の構成要素及び機能は、あらゆる適切な手段を用いて実装することができる。該手段は、少なくとも部分的には、本明細書において教示される対応する構造を用いて実装することもできる。例えば、図１５乃至１９の“するためのＡＳＩＣ”の構成要素と関係させて上述される構成要素は、同様に指定された“するための手段”の機能に対応することができる。従って、幾つかの側面においては、該手段のうちの１つ以上は、本明細書において教示される１つ以上のプロセッサ構成要素、集積回路、又はその他の適切な構造を用いて実装することができる。
【０１４６】
さらに、本明細書における“第１の”、“第２の”、等の指定表現を用いた要素への言及は、一般的には、これらの要素の数量又は順序を限定するものではないことが理解されるべきである。むしろ、これらの指定表現は、本明細書においては、２つ以上の異なるノードを区別する好都合な方法として用いられる。従って、第１及び第２のノードへの言及は、これらの２つのノードのみを採用可能であるということは意味しておらず、さらに第１のノードは何らかの形で第２のノードに先行しなければならないということも意味しない。
【０１４７】
情報及び信号は、様々な異なる技術及び技法のうちのいずれかを用いて表すことができることを当業者は理解するであろう。例えば、上記の説明全体を通じて言及されることがあるデータ、命令、コマンド、情報、信号、ビット、シンボル、及びチップは、電圧、電流、電磁波、磁場、磁気粒子、光学場、光学粒子、又はそのいずれかの組合せを用いて表すことができる。
【０１４８】
本明細書において開示される側面に関係させて説明される様々な例示的論理ブロック、モジュール、プロセッサ、手段、回路、及びアルゴリズム上のステップは、電子ハードウェア（例えば、ソースコーディング又はその他の何らかの技法を用いて設計することができるデジタル実装、アナログ実装、又はこれらの２つの組合せ）、（本明細書において便宜上“ソフトウェア”又は“ソフトウェアモジュール”と呼ぶことができる）命令を組み込んだ様々な形態のプログラム又は設計コード、又は両方の組合せとして実装することができる。ハードウェアとソフトウェアのこの互換性を明確に例示するため、上記においては、様々な例示的構成要素、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲からの逸脱を生じさせるものであるとは解釈すべきではない。  
本明細書において開示される側面と関係させて説明される様々な例示的な論理ブロック、モジュール、及び回路は、集積回路（“ＩＣ”）、アクセス端末、又はアクセスポイント内において実装すること又は集積回路（“ＩＣ”）、アクセス端末、又はアクセスポイントによって実行することができる。ＩＣは、本明細書において説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、電気的構成要素、光学的構成要素、機械的構成要素、又はそのあらゆる組合せ、を備えることができ、さらに、ＩＣ内、ＩＣ外、又はその両方に常駐するコード又は命令を実行することができる。汎用プロセッサはマイクロプロセッサであることができるが、代替として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関連する1つ以上のマイクロプロセッサとの組合せ、又はその他のあらゆる該コンフィギュレーションとの組合せ、として実装することもできる。
【０１４９】
開示されるプロセスにおけるステップの特定の順序又は階層は、１つの手法見本例であることが理解される。設計上の選好に基づき、プロセスにおけるステップの特定の順序又は階層は、本開示の適用範囲内にとどまりつつ変更できることが理解される。添付された方法請求項は、様々なステップの要素を１つの順序例において提示するものであり、提示された特定の順序又は階層に限定されることは意味しない。
【０１５０】
本明細書において開示される側面に関係させて説明される方法又はアルゴリズムのステップは、ハードウェア内において直接具体化させること、プロセッサによって実行されるソフトウェアモジュール内において具体化させること、又はこれらの２つの組合せにおいて具体化させることができる。（例えば、実行可能な命令及び関連データを含む）ソフトウェアモジュール及びその他のデータは、データメモリ、例えば、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態のコンピュータによって読み取り可能な記憶媒体において常駐することができる。記憶媒体例は、機械、例えば（本明細書においては便宜上“プロセッサ”と呼ぶことができる）コンピュータ／プロセッサ、に結合させ、プロセッサが記憶媒体から情報（例えば、符号）を読み出すようにすること及び記憶媒体に情報を書き込むようにすることができる。記憶媒体例は、プロセッサと一体化させることができる。プロセッサ及び記憶媒体は、ＡＳＩＣ内に常駐することができる。ＡＳＩＣは、ユーザー装置内に常駐することができる。代替として、プロセッサ及び記憶媒体は、ユーザー装置内において個別構成要素として常駐することができる。さらに、幾つかの側面においては、適切なコンピュータプログラム製品は、本開示の側面のうちの１つ以上に関連する（例えば、少なくとも１つのコンピュータによって実行可能な）符号を備えるコンピュータによって読み取り可能な媒体を備えることができる。幾つかの側面においては、コンピュータプログラム製品は、パッケージ材料を備えることができる。
【０１５１】
開示される側面に関する上記の説明は、当業者が本開示を製造又は使用できるようにすることを目的とするものである。これらの側面に対する様々な修正は、当業者にとって容易に明確になるであろう。さらに、本明細書において定められている一般原理は、本開示の適用範囲を逸脱しない形でその他の側面に対しても適用することができる。以上のように、本開示は、本明細書において示される側面に限定されることが意図されるものではなく、本明細書において開示される原理及び斬新な特長に一致する限りにおいて最も広範な適用範囲が認められるべきである。
【図１】
0005453090.tif 000002
【図２】
0005453090.tif 000003
【図３】
0005453090.tif 000004
【図４】
0005453090.tif 000005
【図５】
0005453090.tif 000006
【図６】
0005453090.tif 000007
【図７Ａ】
0005453090.tif 000008
【図７Ｂ】
0005453090.tif 000009
【図８Ａ】
0005453090.tif 000010
【図８Ｂ】
0005453090.tif 000011
【図９Ａ】
0005453090.tif 000012
【図９Ｂ】
0005453090.tif 000013
【図１０】
0005453090.tif 000014
【図１１】
0005453090.tif 000015
【図１２】
0005453090.tif 000016
【図１３Ａ】
0005453090.tif 000017
【図１３Ｂ】
0005453090.tif 000018
【図１４】
0005453090.tif 000019
【図１５】
0005453090.tif 000020
【図１６】
0005453090.tif 000021
【図１７】
0005453090.tif 000022
【図１８】
0005453090.tif 000023
【図１９】
0005453090.tif 000024